(57)【特許請求の範囲】
【請求項１】
電話回線に接続される交換制御装置と、前記交換制御装置と接続される電話端末とからなる電話システムであって、
前記電話端末は、
リモコン信号を被リモコン制御機器に送出するためのリモコン信号送出部と、
前記交換制御装置からのリモコン制御実行指示情報を受け付けて、前記被リモコン制御機器に対して前記リモコン信号を、前記リモコン信号送出部から送出させるようにする手段と、
前記リモコン信号を受けた前記被リモコン制御機器の動作確認のための情報を、前記交換制御装置との間に生成された通話路を通じて、前記交換制御装置に送信する手段と、
を備え、
前記交換制御装置は、
相手端末からの所定の着信に対して自動応答して前記相手端末との間に通信路を生成する自動応答手段と、
前記自動応答した後に前記相手端末から送られてくる、どのようなリモコン制御をするかのリモコン指定情報を受信する指定情報受信手段と、
前記指定情報受信手段で受信した前記リモコン指定情報により指定される被リモコン制御機器をリモコン制御するリモコン信号送出部を備える電話端末に、前記リモコン指定情報により指定される被リモコン制御機器に対するリモコン信号を送出させるための前記リモコン制御実行指示情報を送信する手段と、
前記認識した電話端末との間に前記通話路を生成する手段と、
前記電話端末からの前記被リモコン制御機器の動作確認のための情報を前記通話路を通じて受信して、前記被リモコン制御機器のリモコン制御動作の確認判断をする確認判断手段と、
前記確認判断手段における判断結果を、前記相手端末に送信する判断結果送信手段と、
を備える電話システム。
【請求項２】
請求項１に記載の電話システムにおいて、
前記交換制御装置は、前記確認判断手段で、前記被リモコン制御機器のリモコン制御動作が正常になされなかったと判断したときには、前記認識した電話端末に、前記リモコン制御実行指示情報を再送信して、前記リモコン制御をリトライする手段を備え、
前記判断結果送信手段は、前記確認判断手段で、前記被リモコン制御機器のリモコン制御動作が正常になされたことを確認したときに、その確認通知を前記相手端末に送信する
ことを特徴とする電話システム。
【請求項３】
請求項１に記載の電話システムにおいて、
前記電話端末は、前記交換制御装置から前記リモコン制御実行指示情報を受信した後に、周囲の音声を収音するためのマイクロホンを動作状態にして、前記マイクロホンで収音した音声を、前記被リモコン制御機器の動作確認のための情報として、前記交換制御装置に送信し、
前記交換制御装置の確認判断手段は、前記マイクロホンの収音音声を、前記被リモコン制御機器のリモコン制御動作が正常になされたか否かの判断に用いる
ことを特徴とする電話システム。
【請求項４】
請求項１〜請求項３のいずれかに記載の電話システムにおいて、
前記電話端末は、周囲を撮影するためのカメラを備え、前記交換制御装置から前記リモコン制御実行指示情報を受信した後に、前記カメラを動作状態にして、前記被リモコン制御機器の動作確認のための情報として、前記カメラで撮影された周囲の画像を前記交換制御装置に送信し、
前記交換制御装置の確認判断手段は、前記カメラで撮影された周囲の画像を、前記被リモコン制御機器のリモコン制御動作が正常になされたか否かの判断に用いる
ことを特徴とする電話システム。
【請求項５】
請求項１〜請求項４のいずれかに記載の電話システムにおいて、
前記リモコン信号送出部からのリモコン信号は赤外線を用いたものであり、
前記電話端末は、前記リモコン信号送出部からの前記リモコン信号の放射方向を変更制御するリモコン信号放射方向変更機構を備え、
前記リモコン制御実行指示情報には、前記リモコン信号の放射方向を制御するための制御情報が含められる
ことを特徴とする電話システム。
【請求項６】
電話回線に接続される交換制御装置と、前記交換制御装置と接続される電話端末とからなる電話システムであって、
前記電話端末は、
リモコン信号を被リモコン制御機器に送出するためのリモコン信号送出部と、
前記交換制御装置からのリモコン制御実行指示情報を受け付けて、前記被リモコン制御機器に対して前記リモコン信号を、前記リモコン信号送出部から送出させるようにする手段と、
前記リモコン信号を受けた前記被リモコン制御機器の動作確認のための情報を、前記相手端末との間に生成された通話路を通じて、前記相手端末に送信する手段と、
を備え、
前記交換制御装置は、
相手端末からの所定の着信に対して自動応答して前記相手端末との間に通信路を生成する自動応答手段と、
前記自動応答した後に前記相手端末から送られてくる、どのようなリモコン制御をするかのリモコン指定情報を前記相手端末から受信する指定情報受信手段と、
前記指定情報受信手段で受信した前記リモコン指定情報により指定される被リモコン制御機器をリモコン制御するリモコン信号送出部を備える電話端末に、前記リモコン指定情報により指定される被リモコン制御機器に対するリモコン信号を送出させるための前記リモコン制御実行指示情報を送信する手段と、
前記電話端末と前記相手端末との間に前記通話路を生成する手段と、
を備える電話システム。
【請求項７】
交換制御装置と、前記交換制御装置と接続される電話端末と、前記交換制御装置と接続されると共に、インターネットに接続されるサーバとからなる電話システムであって、
前記電話端末は、
リモコン信号を被リモコン制御機器に送出するためのリモコン信号送出部と、
前記交換制御装置からのリモコン制御実行指示情報を受け付けて、前記被リモコン制御機器に対して前記リモコン信号を、前記リモコン信号送出部から送出させるようにする手段と、
前記リモコン信号を受けた前記被リモコン制御機器の動作確認のための情報を、前記交換制御装置との間に生成された通話路を通じて、前記交換制御装置に送信する手段と、
を備え、
前記サーバは、
アクセス端末からのアクセスを受け付けて、前記アクセス端末との間に第１の通信路を生成する手段と、
前記アクセス端末から、生成された前記第１の通信路を通じて、どのようなリモコン制御をするかのリモコン指示を受信するリモコン指示受信手段と、
前記リモコン指示受信手段で前記リモコン指示を受信したときに、前記交換制御装置との間に第２の通信路を生成し、前記リモコン指示に基づくリモコン指定情報を前記第２の通信路を通じて前記交換制御装置に送信する手段と、
前記第２の通信路を通じて前記交換制御装置から送られてくる前記被リモコン制御機器のリモコン制御動作の確認判断結果を、前記第１の通信路を通じて前記アクセス端末に送信する手段と、
を備え、
前記交換制御装置は、
前記サーバからのリモコン指定情報を前記第２の通信路を通じて受信したときに、受信した前記リモコン指定情報により指定される被リモコン制御機器をリモコン制御するリモコン信号送出部を備える電話端末に、前記リモコン指定情報により指定される被リモコン制御機器に対するリモコン信号を送出させるための前記リモコン制御実行指示情報を送信する手段と、
前記認識した電話端末との間に前記通話路を生成する手段と、
前記電話端末からの前記被リモコン制御機器の動作確認のための情報を前記通話路を通じて受信して、前記被リモコン制御機器のリモコン制御動作の確認判断をする確認判断手段と、
前記確認判断手段における判断結果を、前記第２の通信路を通じて前記サーバに送信する手段と、
を備える電話システム。
【請求項８】
交換制御装置と、前記交換制御装置と接続される電話端末と、前記交換制御装置と接続されると共に、インターネットに接続されるサーバとからなる電話システムであって、
前記電話端末は、
リモコン信号を被リモコン制御機器に送出するためのリモコン信号送出部と、
前記交換制御装置からのリモコン制御実行指示を受け付けて、前記被リモコン制御機器に対して前記リモコン信号を、前記リモコン信号送出部から送出させるようにする手段と、
前記リモコン信号を受けた前記被リモコン制御機器の動作確認のための情報を、前記交換制御装置との間に生成された通話路を通じて、前記交換制御装置に送信する手段と、
を備え、
前記サーバは、
アクセス端末からのアクセスを受け付けて、前記アクセス端末との間に第１の通信路を生成する手段と、
前記アクセス端末から、生成された前記第１の通信路を通じて、どのようなリモコン制御をするかのリモコン指示を受信するリモコン指示受信手段と、
前記リモコン指示受信手段で前記リモコン指示を受信したときに、前記交換制御装置との間に第２の通信路を生成し、前記リモコン指示に基づくリモコン指定情報を前記第２の通信路を通じて前記交換制御装置に送信する手段と、
前記第２の通信路を通じて前記交換制御装置から送られてくる前記電話端末からの前記被リモコン制御機器の動作確認のための情報を受信して、前記被リモコン制御機器のリモコン制御動作の確認判断をする確認判断手段と、
前記確認判断手段における判断結果を、前記第１の通信路を通じて前記アクセス端末に送信する手段と、
を備え、
前記交換制御装置は、
前記サーバからのリモコン指定情報を前記第２の通信路を通じて受信したときに、受信した前記リモコン指定情報により指定される被リモコン制御機器をリモコン制御するリモコン信号送出部を備える電話端末に、前記リモコン指定情報により指定される被リモコン制御機器に対するリモコン信号を送出させるための前記リモコン制御実行指示情報を送信する手段と、
前記認識した電話端末との間に前記通話路を生成する手段と、
前記電話端末からの前記被リモコン制御機器の動作確認のための情報を前記通話路を通じて受信して、前記第２の通信路を通じて前記サーバに転送する手段と、
を備える電話システム。
【発明の詳細な説明】
【技術分野】
【０００１】
この発明は、例えば、エアコンやテレビ受信機などの電子機器のリモコン制御を、外出先から行えるようにする電話システムに関する。
【背景技術】
【０００２】
照明器具、空調機器、テレビ受信機や記録再生装置などの電気機器は、赤外線を用いたワイヤレスのリモコン制御が可能とされているものが多い。
【０００３】
一方、赤外線リモコン機能を備える携帯電話端末が知られており、この携帯電話端末を、上記の多種多様な電気機器のリモコン制御用装置として使用することができるようにする技術も提案されている（特許文献１（特開２００４−１２８８５９号公報）参照）。
【０００４】
また、さらに、特許文献２（特開２００１−２７５１７２号公報）には、携帯電話端末と近赤外線リモコンとを接続して、遠隔地からの命令を携帯電話端末で受けることにより、上記のような電気機器を、遠隔地からリモコン制御するようにする技術が開示されている。
【先行技術文献】
【特許文献】
【０００５】
【特許文献１】特開２００４−１２８８５９号公報
【特許文献２】特開２００１−２７５１７２号公報
【発明の概要】
【発明が解決しようとする課題】
【０００６】
ところで、上記の特許文献２の場合においては、遠隔地から携帯電話網などの通信ネットワークを経由した電気機器のリモコン制御が可能となるが、リモコン制御が確実になされたかどうかの確認ができなかった。
【０００７】
このため、遠隔地からのリモコン制御を行ったつもりでいたが、実際には、リモコン制御が実行されていなかったなどという問題があった。
【０００８】
この発明は、この問題点にかんがみ、通信ネットワークを経由した電気機器のリモコン制御において、リモコン制御が確実になされたかどうかの確認をすることができるようにすることを目的とする。
【課題を解決するための手段】
【０００９】
上記の課題を解決するために、請求項１の発明は、
電話回線に接続される交換制御装置と、前記交換制御装置と接続される電話端末とからなる電話システムであって、
前記電話端末は、
リモコン信号を被リモコン制御機器に送出するためのリモコン信号送出部と、
前記交換制御装置からのリモコン制御実行指示情報を受け付けて、前記被リモコン制御機器に対して前記リモコン信号を、前記リモコン信号送出部から送出させるようにする手段と、
前記リモコン信号を受けた前記被リモコン制御機器の動作確認のための情報を、前記交換制御装置との間に生成された通話路を通じて、交換制御装置に送信する手段と、
を備え、
前記交換制御装置は、
相手端末からの所定の着信に対して自動応答して前記相手端末との間に通信路を生成する自動応答手段と、
前記自動応答した後に前記相手端末から送られてくる、どのようなリモコン制御をするかのリモコン指定情報を受信する指定情報受信手段と、
前記指定情報受信手段で受信した前記リモコン指定情報により指定される被リモコン制御機器をリモコン制御するリモコン信号送出部を備える電話端末に、前記リモコン指定情報により指定される被リモコン制御機器に対するリモコン信号を送出させるための前記リモコン制御実行指示情報を送信する手段と、
前記認識した電話端末との間に前記通話路を生成する手段と、
前記電話端末からの前記被リモコン制御機器の動作確認のための情報を前記通話路を通じて受信して、前記被リモコン制御機器のリモコン制御動作の確認判断をする確認判断手段と、
前記確認判断手段における判断結果を、前記相手端末に送信する判断結果送信手段と、
を備える電話システムを提供する。
【００１０】
上述の構成の請求項１の発明によれば、電話回線に接続される交換制御装置と、前記交換制御装置と接続される電話端末とからなる電話システムにおいて、交換制御装置の確認判断手段は、電話端末から送られてくるリモコン信号を受けた被リモコン制御機器の動作確認のための情報を用いて、被リモコン制御機器のリモコン制御動作の確認判断をする。そして、この確認判断手段の判断結果を、リモコン指定情報を送出した相手端末に送るようにする。
【００１１】
したがって、リモコン指定情報を送出した相手端末で、確認判断手段の判断結果を使用者に通知するようにすることで、当該相手端末の使用者は、被リモコン制御機器のリモコン制御動作が正常に終了したか否かを確認することができる。
【００１２】
また、請求項６の発明は、
電話回線に接続される交換制御装置と、前記交換制御装置と接続される電話端末とからなる電話システムであって、
前記電話端末は、
リモコン信号を被リモコン制御機器に送出するためのリモコン信号送出部と、
前記交換制御装置からのリモコン制御実行指示情報を受け付けて、前記被リモコン制御機器に対して前記リモコン信号を、前記リモコン信号送出部から送出させるようにする手段と、
前記リモコン信号を受けた前記被リモコン制御機器の動作確認のための情報を、前記相手端末との間に生成された通話路を通じて、前記相手端末に送信する手段と、
を備え、
前記交換制御装置は、
相手端末からの所定の着信に対して自動応答して前記相手端末との間に通信路を生成する自動応答手段と、
前記自動応答した後に前記相手端末から送られてくる、どのようなリモコン制御をするかのリモコン指定情報を前記相手端末から受信する指定情報受信手段と、
前記指定情報受信手段で受信した前記リモコン指定情報により指定される被リモコン制御機器をリモコン制御するリモコン信号送出部を備える電話端末に、前記リモコン指定情報により指定される被リモコン制御機器に対するリモコン信号を送出させるための前記リモコン制御実行指示情報を送信する手段と、
前記電話端末と前記相手端末との間に前記通話路を生成する手段と、
を備える電話システムを提供する。
【００１３】
上述の構成の請求項６の発明によれば、電話回線に接続される交換制御装置と、前記交換制御装置と接続される電話端末とからなる電話システムにおいて、交換制御装置は、電話端末から送られてくるリモコン信号を受けた被リモコン制御機器の動作確認のための情報を、リモコン指定情報を送出した相手端末に送るようにする。
【００１４】
したがって、リモコン指定情報を送出した相手端末の使用者は、受信した被リモコン制御機器の動作確認のための情報により、被リモコン制御機器のリモコン制御動作が正常に終了したか否かを確認することができる。
【発明の効果】
【００１５】
この発明によれば、通信ネットワークを通じて遠隔地から電気機器をリモコン制御した場合においても、リモコン制御が確実になされたかどうかを確認することができる。よって、リモコン制御が正常になされなかった場合においては、リトライなどの適切な処置を施すことが可能となる。
【図面の簡単な説明】
【００１６】
【図１】この発明による電話システムの第１の実施形態のシステム構成の概要を説明するための図である。
【図２】この発明による電話システムの実施形態で用いられる電話端末の外観構成例を説明するための図である。
【図３】この発明による電話システムの実施形態で用いられる電話端末の外観構成例を説明するための図である。
【図４】この発明による電話システムの実施形態で用いられる電話端末の電気的ハードウエア構成例を説明するためのブロック図である。
【図５】この発明による電話システムの第１の実施形態で用いられる交換制御装置の例としての主装置の電気的ハードウエア構成例を説明するためのブロック図である。
【図６】図５のリモコン制御記憶部の記憶内容の例を示す図である。
【図７】図５のリモコンモード記憶部の記憶内容の例を示す図である。
【図８】この発明による電話システムの第１の実施形態におけるリモコン制御のシーケンス例を示す図である。
【図９】この発明による電話システムの第１の実施形態におけるリモコン制御のシーケンス例を示す図である。
【図１０】この発明による電話システムの第１の実施形態における交換制御装置の例としての主装置の処理動作例を示すフローチャートの一部を示す図である。
【図１１】この発明による電話システムの第１の実施形態における交換制御装置の例としての主装置の処理動作例を示すフローチャートの一部を示す図である。
【図１２】この発明による電話システムの第１の実施形態における交換制御装置の例としての主装置の処理動作例を示すフローチャートの一部を示す図である。
【図１３】この発明による電話システムの第１の実施形態における交換制御装置の例としての主装置の処理動作例を示すフローチャートの一部を示す図である。
【図１４】この発明による電話システムの第１の実施形態における電話端末の処理動作例を示すフローチャートの一部を示す図である。
【図１５】この発明による電話システムの第１の実施形態における電話端末の処理動作例を示すフローチャートの一部を示す図である。
【図１６】この発明による電話システムの第２の実施形態におけるリモコン制御のシーケンス例を示す図である。
【図１７】この発明による電話システムの第２の実施形態における交換制御装置の例としての主装置の処理動作例を示すフローチャートの一部を示す図である。
【図１８】この発明による電話システムの第２の実施形態における交換制御装置の例としての主装置の処理動作例を示すフローチャートの一部を示す図である。
【図１９】この発明による電話システムの第２の実施形態における交換制御装置の例としての主装置の処理動作例を示すフローチャートの一部を示す図である。
【図２０】この発明による電話システムの第２の実施形態における交換制御装置の例としての主装置の処理動作例を示すフローチャートの一部を示す図である。
【図２１】この発明による電話システムの第３の実施形態のシステム構成の概要を説明するための図である。
【図２２】この発明による電話システムの第３の実施形態におけるリモコン制御のシーケンス例を示す図である。
【図２３】この発明による電話システムの第３の実施形態におけるリモコン制御のシーケンス例を示す図である。
【図２４】この発明による電話システムの第３の実施形態におけるリモコン制御のシーケンス例を示す図である。
【図２５】この発明による電話システムの第３の実施形態におけるリモコン制御のシーケンス例を示す図である。
【図２６】この発明による電話システムの第３の実施形態におけるウェブサーバの処理動作例を示すフローチャートを示す図である。
【図２７】この発明による電話システムの第３の実施形態における交換制御装置の例としての主装置の処理動作例を示すフローチャートの一部を示す図である。
【図２８】この発明による電話システムの第３の実施形態における交換制御装置の例としての主装置の処理動作例を示すフローチャートの一部を示す図である。
【図２９】この発明による電話システムの第３の実施形態における交換制御装置の例としての主装置の処理動作例を示すフローチャートの一部を示す図である。
【図３０】この発明による電話システムの第３の実施形態における交換制御装置の例としての主装置の処理動作例を示すフローチャートの一部を示す図である。
【発明を実施するための形態】
【００１７】
以下、この発明の幾つかの実施形態を、図を参照しながら説明する。
【００１８】
［第１の実施形態］
第１の実施形態は、この発明の電話システムをボタン電話システムに適用した場合である。図１は、この発明の実施形態が適用されたボタン電話システムのシステム構成例を示す図である。
【００１９】
＜実施形態のボタン電話システムの概要＞
この図１の例のボタン電話システムは、交換制御装置の例としての主装置１と、複数台の電話端末、図１の例では２台の内線電話端末２Ａ、２Ｂとからなり、ＩＰ（Ｉｎｔｅｒｎｅｔ  Ｐｒｏｔｏｃｏｌ）電話システムの場合の例としている。なお、交換制御装置は、ＳＩＰ（Ｓｅｓｓｉｏｎ  Ｉｎｉｔｉａｔｉｏｎ  Ｐｒｏｔｏｃｏｌ）サーバにより構成されると共に、このＳＩＰサーバを、後述するような制御機能を備えるように構成しても勿論よい。
【００２０】
この図１の例は、２階建ての家屋内に、家庭用のボタン電話システムが設置された場合の例である。この例では、主装置１は、１階に設置されており、また、内線電話端末２Ａは１階に、内線電話端末２Ｂは２階に、それぞれ設置されている。
【００２１】
主装置１は、電話回線Ｌを介して、この例では、ＩＰ電話網３に接続されている。ここで、主装置１に収容される電話回線は、１回線であっても良いし、複数回線であってもよい。
【００２２】
主装置１と、内線電話端末２Ａおよび２Ｂのそれぞれとは、この例では、ＬＡＮ（Ｌｏｃａｌ  Ａｒｅａ  Ｎｅｔｗｏｒｋ）（図示は省略）を通じて接続されている。この場合に、主装置１と、内線電話端末２Ａおよび２Ｂのそれぞれとを接続するＬＡＮは、ケーブルを用いた有線ＬＡＮであっても良いし、無線ＬＡＮであってもよい。以下の説明では、有線ＬＡＮの場合としている。
【００２３】
そして、後述するように、この実施形態の内線電話端末２Ａ，２Ｂは、それぞれ、赤外線により電気機器をリモコン制御するためのリモコン送信部を備えている。この例では、１階の所定位置に設置されている内線電話端末２Ａは、その設置位置において１階のテレビ受信機４Ａおよびエアコン５Ａをリモコン制御可能とされている。また、２階の所定位置に設置されている内線電話端末２Ｂは、その設置位置において２階のテレビ受信機４Ｂおよびエアコン５Ｂをリモコン制御可能とされている。
【００２４】
テレビ受信機４Ａ，４Ｂおよびエアコン５Ａ，５Ｂ用のリモコン制御コードは、この例では、予め主装置１に全て記憶しておく。この場合に、主装置１には、工場出荷時に、全ての電気機器のリモコン制御コードを記憶させておくことは困難であるので、この例では、ボタン電話システムが設置された状況において、各内線電話端末がリモコン制御する被リモコン制御機器を特定し、その特定された被リモコン制御機器のリモコン制御コードのみを主装置１に記憶するようにする。
【００２５】
例えば、ボタン電話システムの設置時に、インターネットを通じて必要な被リモコン制御機器用のリモコン制御コードをダウンロードするなどして取得し、その取得したリモコン制御コードを、それぞれの被リモコン制御機器に対応付けて、主装置１の記憶部に記憶しておくようにする。
【００２６】
また、後の時点で被リモコン制御機器が追加された場合にも、インターネットを通じて当該追加された被リモコン制御機器用のリモコン制御コードをダウンロードして取得し、その取得したリモコン制御コードを、その被リモコン制御機器の識別情報に対応付けて、主装置１の記憶部に記憶するようにする。
【００２７】
このように、この実施形態では、内線電話端末２Ａ，２Ｂは、それぞれ複数個の被リモコン制御機器をリモコン制御可能とするので、赤外線リモコン送信部は、後述するように、方向制御機構により、その赤外線リモコン信号の放射方向を変更することできるように構成されている。
【００２８】
また、図１では、図示を省略するが、この実施形態の内線電話端末２Ａ，２Ｂは、それぞれ、周囲音を収音するためのマイクロホンと、主として赤外線リモコン信号の送出方向の画像を撮影するためのカメラを備えている。カメラは、赤外線リモコン送信部と共に、方向制御機構により、常に赤外線リモコン信号の放射方向側を撮影方向（撮像レンズの光軸方向）とするように、取り付けられている。
【００２９】
マイクロホンで収音した音声と、カメラで撮影された画像とが、この実施形態では、リモコン信号を受けた被リモコン制御機器の動作確認のための情報の例とされる。なお、周囲音を収音するためのマイクロホンは、ハンズフリー通話用のマイクロホンを兼用することができる。
【００３０】
主装置１は、後述するように、内線電話端末２Ａ，２Ｂのそれぞれがリモコン制御できる被リモコン制御機器についての情報を、後述するリモコン制御記憶部に記憶しており、被リモコン制御機器についてのリモコン制御が指定されたとき、その指定された被リモコン制御機器が、どの内線電話端末でリモコン制御可能かを認識することができるようにしている。
【００３１】
また、この実施形態では、主装置１には、複数の被リモコン制御機器を所望の状態にリモコン制御するリモコンモードを、ユーザやボタン電話システムの設置業者が、設定登録することができるようにされている。すなわち、この実施形態のボタン電話システムの主装置１には、後述するように、設定されたリモコンモードの識別情報と、ユーザや設置業者が設定した各リモコンモードにおける複数個の被リモコン制御機器と、それぞれの被リモコン制御機器のリモコン制御内容とが、対応する状態で、記憶部（後述するリモコンモード記憶部）に記憶される。
【００３２】
そして、この例では、主装置１は、留守番モードにおいて着信を受けると自動応答し、その着信の発呼側端末から、予め定められているリモコン指示コードを受けると、リモコン制御モードになる。
【００３３】
主装置１は、このリモコン制御モードにおいては、発呼側端末から送られてくる被リモコン制御機器およびそのリモコン制御動作などの指定情報を含むリモコン指定情報を受信し、その受信したリモコン指定情報から、少なくとも被リモコン制御機器およびそのリモコン制御動作を含むリモコン制御実行指示情報を生成する機能を備える。
【００３４】
そして、主装置１は、生成したリモコン制御実行指示情報を、発呼側端末から受信したリモコン指定情報から特定される内線電話端末２Ａまたは２Ｂに対して送信すると共に、当該内線電話端末２Ａまたは２Ｂとの間に通話路を生成するようにする。
【００３５】
内線電話端末２Ａ，２Ｂのそれぞれは、主装置１からリモコン制御実行指示情報を受け取ると、その受信情報に基づき、被リモコン制御機器およびそのリモコン制御動作を認識し、赤外線リモコン送信部から、指定された被リモコン制御機器に対して、指定された動作をするようにする赤外線リモコン信号を送出する機能を備える。
【００３６】
また、内線電話端末２Ａ，２Ｂのそれぞれは、リモコン送信部から赤外線リモコン信号を送出するに先立ち、前記周囲音声の収音用のマイクロホンおよびリモコン方向の画像を撮影するカメラを動作状態にする機能を備える。
【００３７】
そして、内線電話端末２Ａ，２Ｂのそれぞれは、赤外線リモコン送信部からの赤外線リモコン信号の送出の前後においてマイクロホンで収音された周囲音声およびカメラで撮影されたリモコン方向画像を、リモコン信号を受けた被リモコン制御機器の動作確認のための情報として、主装置１との間に生成された通話路を通じて、主装置１に送信する機能を備える。
【００３８】
なお、被リモコン制御機器の種類や、リモコン制御動作によっては、リモコン送信部から赤外線リモコン信号が送出された後のみの周囲音声およびリモコン方向画像を、リモコン信号を受けた被リモコン制御機器の動作確認のための情報として、主装置１との間に生成された通話路を通じて、主装置１に送信するようにしても良い。
【００３９】
すなわち、リモコン信号を受けた被リモコン制御機器が、特定の電子音を送出したり、特定の動き変化をする場合には、その特定の電子音を確認したり、特定の動き変化があったことを確認することで、リモコン信号を受けた被リモコン制御機器の動作確認ができるからである。
【００４０】
そして、この第１の実施形態では、主装置１は、通話路を通じて受信した被リモコン制御機器の動作確認のための情報としての周囲音声およびカメラの撮影画像を用いて、被リモコン制御機器についてのリモコン制御が正常になされたか否かを確認判断するリモコン動作確認判断機能を備える。
【００４１】
さらに、この第１の実施形態では、主装置１は、リモコン動作確認判断機能により、被リモコン制御機器についてのリモコン制御が正常になされなかったときには、リモコン制御実行指示情報を、再度、内線電話端末に送るなどのリトライ処理を行う機能も備える。
【００４２】
そして、この第１の実施形態では、主装置１は、リモコン動作確認判断機能により、被リモコン制御機器についてのリモコン制御が正常になされたと確認判断したときには、正常終了確認判断結果を、リモコン指示コードを送ってきた発呼側端末に送る機能も備える。正常終了確認判断結果は、この例では、その旨を示す確認音とされる。
【００４３】
なお、この第１の実施形態においては、図１に示すように、発呼側端末は、例えば携帯電話端末６とされ、その主装置１への発呼は、携帯電話網７およびＩＰ電話網３を通じて主装置１に送られる。
【００４４】
＜内線電話端末の構成例＞
〔内線電話端末の外観〕
内線電話端末２Ａ，２Ｂは、同一の構成を備えるものである。図２および図３に、内線電話端末２Ａ，２Ｂの外観の一部を示す。なお、以下の説明において、内線電話端末２Ａ，２Ｂを区別する必要がないときには、説明の簡単のため、内線電話端末２と記することとする。
【００４５】
内線電話端末２は、電話端末本体２１と、ハンドセット２２とからなる。電話端末本体２１には、ボタンキー群２３と、例えばＬＣＤ（Ｌｉｑｕｉｄ  Ｃｒｙｓｔａｌ  Ｄｉｓｐｌａｙ）からなるディスプレイ（表示画面）２４が設けられる。
【００４６】
そして、この実施形態では、内線電話端末２には、周囲音を収音するためのマイクロホン２５が、電話端末本体２１に設けられる。図２では、マイクロホン２５により周囲音を収音するための透孔が示され、その内部にマイクロホン２５が収納される構造である。前述したように、このマイクロホン２５は、ハンズフリー通話用のマイクロホンと兼用することができる。
【００４７】
また、リモコン送信部２６およびカメラ２７が、方向制御機構２８を介して、電話端末本体２１に取り付けられている。
【００４８】
この例では、方向制御機構２８は、円板状部材２８Ａと、この円板状部材２８Ａを回動移動可能に保持する保持部材２８Ｂとからなる。そして、リモコン送信部２６の赤外線送出窓およびカメラ２７のレンズが、図３に示すように、円板状部材２８Ａの側周面から外方を向くように、リモコン送信部２６およびカメラ２７が方向制御機構２８に取り付けられている。
【００４９】
そして、円板状部材２８Ａは、その円板の中心線を中心として、図２の矢印ＡＲ１で示すように、内線電話端末２の載置面に平行な面内で回動移動できるように構成されている。この例では、円板状部材２８Ａは、方向制御機構２８が備える例えば歯車機構により、１８０度分、回動移動できるようにされている。この歯車機構は、内線電話端末２が備える制御部からの駆動制御信号により、駆動されるように構成されている。
【００５０】
そして、この例の場合には、歯車機構には、回動角を検知する手段が設けられており、リモコン送信部２６およびカメラ２７が、円板状部材２８Ａのいずれの回動角位置に位置しているかを検知することができるようにされている。そして、検知されたリモコン送信部２６およびカメラ２７の回動角位置の情報は、内線電話端末２が備える制御部に供給され、リモコン送信部２６およびカメラ２７を所定の回動角位置に回動制御する際の位置情報として用いられる。
【００５１】
なお、リモコン送信部２６からの赤外線放射方向は、リモコン送信部２６からの赤外線の放射軸方向であり、リモコン送信部２６からの赤外線は、この放射軸方向を中心にした所定の放射領域（水平方向および垂直方向に所定幅を備える）に送出される。
【００５２】
また、カメラ２７の向きは、撮像レンズの光軸の方向を意味するものであり、当該光軸方向の所定の大きさの画枠のリモコン信号放射方向の画像が、このカメラ２７により撮影可能である。
【００５３】
なお、図２の例では、リモコン送信部２６およびカメラ２７の、内線電話端末２の載置面に平行な面内で回動角位置のみを制御するようにした。しかし、リモコン送信部２６からの赤外線放射方向およびカメラ２７の向きを、仰角方向に変えられるように、円板状部材２８Ａを保持する保持部材２８Ｂを、アクチュエータにより駆動制御できるように構成しても良い。
【００５４】
〔内線電話端末２の電気的ハードウエア構成〕
図４に、この実施形態における内線電話端末２の電気的ハードウエア構成例のブロック図を示す。なお、この例のボタン電話システムは、ＶｏＩＰ（Ｖｏｉｃｅ  Ｏｖｅｒ  Ｉｎｔｅｒｎｅｔ  Ｐｒｏｔｏｃｏｌ）に対応のＩＰ電話システムの場合であり、音声情報、画像情報や制御情報はパケット化されて送受信される。
【００５５】
この例の内線電話端末２の電話端末本体２１内の電気的ハードウエア構成においては、システムバス２００に対して、マイクロコンピュータからなる制御部２０１、通信用インターフェース２０２、パケット処理部２０３、通話音声入出力インターフェース２０４、ディスプレイコントローラ２０５、ＬＥＤ（Ｌｉｇｈｔ  Ｅｍｉｔｔｉｎｇ  Ｄｉｏｄｅ；発光ダイオード）ドライブ部２０６、操作入力インターフェース２０７、のそれぞれが接続されている。
【００５６】
また、この実施形態では、システムバス２００には、さらに、リモコンインターフェース２０８、マイクロホンインターフェース２０９、カメラインターフェース２１０、方向制御機構インターフェース２１１、が接続されている。
【００５７】
制御部２０１は、内蔵するメモリに記憶されているプログラムに従って、以下に説明するような内線電話端末２が実行する種々の処理を、ソフトウエア処理として実行する。
【００５８】
通信用インターフェース２０２は、この例では、ＬＡＮ８に接続される。図示は省略するが、このＬＡＮ８には、前述したように、主装置１および他の内線電話端末２が接続される。
【００５９】
パケット処理部２０３は、通信用インターフェース２０２を通じて受信した呼制御用パケットや受話音声のパケットを分解して呼制御情報や受話音声信号を得、システムバス２００に送出する。制御部２０１は、システムバス２００に送出された呼制御情報を解析して、対応する呼制御処理を行う。また、システムバス２００に送出された受話音声信号は、通話音声入出力インターフェース２０４を通じてハンドセット２２に送られる。
【００６０】
パケット処理部２０３は、また、制御部２０１の制御に従って送信用の呼制御用パケットを生成し、あるいは通話音声入出力インターフェース２０４を通じて取り込まれた送話音声信号から送話音声パケットを生成して、システムバス２００に送出する。これら送信用の呼制御用パケットおよび送話音声パケットは、制御部２０１の制御に従って通信用インターフェース２０２を通じて送信される。
【００６１】
通話音声入出力インターフェース２０４は、ハンドセット２２に接続されている。相手からの受話音声の音声信号は、制御部２０１の制御に従い、通話音声入出力インターフェース２０４を通じてハンドセット２２の受話器に供給される。また、ハンドセット２２の送話器のマイクロホンで収音された送話音声の音声信号は、制御部２０１の制御に従い、通話音声入出力インターフェース２０４を通じてシステムバス２００に送出され、通信用インターフェース２０２を通じて相手方に送信される。
【００６２】
ディスプレイコントローラ２０５には、ディスプレイ２４が接続されており、制御部２０１による表示制御にしたがって、ディスプレイ２４の表示画面に種々の表示がなされる。
【００６３】
ＬＥＤドライブ部２０６には、操作ボタン群２３に関連して設けられているＬＥＤ群２３ＬＤが接続されており、制御部２０１の制御に応じて、ＬＥＤ群２３ＬＤの各ＬＥＤが点灯、消灯、点滅などの状態に制御される。
【００６４】
操作入力インターフェース２０７には、テンキーやその他のファンクションキーなどを有する操作入力部２１２が接続されている。操作入力部２１２を通じてユーザによりキー入力操作が行われると、そのキー操作信号が操作入力インターフェース２０７を通じてシステムバス２００に送られる。制御部２０１は、操作入力インターフェース２０７を通じてシステムバス２００に送出されたキー操作信号から、いずれの操作キーが操作されたかを判別し、その判別結果に応じた処理を行うようにする。
【００６５】
リモコンインターフェース２０８には、リモコン送信部２６が接続される。マイクロホンインターフェース２０９は、マイクロホン音声取り込み用であり、これには、マイクロホン２５で収音された当該内線電話端末２の周囲音声の音声信号がアンプ２１３を通じて供給される。マイクロホンインターフェース２０９は、取り込んだ音声信号をデジタル信号に変換して、システムバス２００に送出する。
【００６６】
方向制御機構インターフェース２１１は、リモコン送信部２６およびカメラ２７の方向を制御するための方向制御機構２８に対して、方向制御信号を供給するためのものである。制御部２０１は、後述するようにして、リモコン制御しようとする被リモコン制御機器に応じた方向制御信号を生成して、生成した方向制御信号を、この方向制御機構インターフェース２１１を通じて方向制御機構２８に供給し、方向制御を行う。
【００６７】
＜主装置１の電気的ハードウエア構成例＞
図５に、この実施形態における主装置１の電気的ハードウエア構成例のブロック図を示す。
【００６８】
この例の主装置１の電気的ハードウエア構成においては、システムバス１００に対して、マイクロコンピュータからなる制御部１０１、外線用インターフェース１０２、内線用インターフェース１０３、パケット処理部１０４、通信管理部１０５、内線端末管理部１０６、リモコン制御記憶部１０７、リモコン動作確認判断部１０８、リモコンモード記憶部１０９、のそれぞれが接続されている。
【００６９】
制御部１０１は、内蔵するメモリに記憶されているプログラムに従って、後述するような主装置１が実行する種々の処理を、ソフトウエア処理として実行する。
【００７０】
例えば、この例のボタン電話システムでは、内線電話端末２のいずれかの操作ボタンの操作により、留守番モードに設定することができるようにされている。主装置１は、ボタン電話システムが留守番モードに設定されているときには、着信に対して自動応答して、留守であるためメッセージを残したい場合には、メッセージを残すように発呼側に依頼するメッセージを送出するなどの機能を備えている。
【００７１】
また、後述するように、主装置１は、留守番モードで自動応答した後、発呼側から、予め定められているリモコン指示コードを受信したときには、その後、発呼側から送られてくるリモコン指定情報を受けて、リモコン制御を実行するようにする機能も備えている。
【００７２】
リモコン指示コードは、使用者のリモコン制御を開始したい旨の意志を通知するものであり、数字や「＊」、「＃」などが用いられる特定のコードとされる。
【００７３】
また、リモコン指定情報は、いずれの被リモコン制御機器について、どのようにリモコン制御したいかを指定する情報である。このリモコン指定情報は、被リモコン制御機器の個別制御指定の場合と、リモコンモード指定の場合とで異なる。個別制御指定の場合には、リモコン指定情報は、少なくとも、被リモコン制御機器とリモコン動作とを指定する情報を含む。このリモコン指定情報は、例えば、「＃」を区切り情報として用いた、被リモコン制御機器番号、リモコンコード番号などからなるものとされている。また、リモコンモード指定の場合には、リモコン指定情報は、リモコンモードの識別情報に対応する情報（リモコンモードを識別するための情報）とされる。後述するように、リモコンモードの識別情報は、この例では、リモコンモード番号とされる。
【００７４】
制御部１０１の内蔵メモリには、以上の機能を実行するためのソフトウエアプログラムの他、呼制御やその他の処理用のソフトウエアプログラムが記憶されている。
【００７５】
外線用インターフェース１０２は、この例では、ＩＰ電話網３に接続される。また、内線用インターフェース１０３は、この例では、内線電話端末２Ａ，２Ｂが接続されているＬＡＮ８に接続される。
【００７６】
外線用インターフェース１０２は、ＩＰ電話網３を通じて送られてくる受信パケットを受信して、システムバス１００を通じてパケット処理部１０４に渡すと共に、パケット処理部１０４からシステムバス１００を通じて転送されてくる送信パケットを、ＩＰ電話網３に送り出すようにする。
【００７７】
内線用インターフェース１０３は、内線電話端末２Ａ，２ＢからＬＡＮ８を通じて送られてくるパケットを受信して、システムバス１００を通じてパケット処理部１０４に渡すと共に、パケット処理部１０４からシステムバス１００を通じて転送されてくる受信パケットを、ＬＡＮ８を通じて内線電話端末２Ａ，２Ｂに送るようにする。
【００７８】
パケット処理部１０４は、外線用インターフェース１０２からの受信パケットを分解して、着信の呼制御をするための情報をシステムバス１００に送出する機能と、外線用インターフェース１０２からの音声の受信パケットを、内線電話端末２Ａ，２Ｂに送るパケットに変換する機能と、内線電話端末２Ａ，２Ｂからの音声や画像の送信パケットを、外線インターフェース１０２を通じてＩＰ電話網３に送出するパケットに変換する機能とを備える。パケット処理部１０４は、制御部１０１が内蔵するメモリのプログラムにより実行するソフトウエア処理としても実現できる。
【００７９】
通信管理部１０５は、このボタン電話システムにおける着信、発呼、通話中、保留中などの通信を管理するためのもので、現在の外線、内線の状態がどのようになっているかを把握して管理する。
【００８０】
内線端末管理部１０６は、この例のボタン電話システムに収容されている内線電話端末２の識別情報と、その内線番号と、ＬＡＮ８上のアドレスとの対応関係などを記憶して管理する。この例では、内線電話端末２の識別情報としては、それぞれの内線電話端末に付与された電話機番号とされている。また、この実施形態では、内線端末管理部１０６には、内線電話端末の設置位置（例えば１階、２階など）が登録されて記憶されている。
【００８１】
リモコン制御記憶部１０７は、内線電話端末２Ａ，２Ｂのそれぞれと、それぞれの内線電話端末がリモコン制御する被リモコン制御機器との対応関係、各被リモコン制御機器の制御コード、さらに、被リモコン制御機器が正常にリモコン制御されたか否かを確認するために使用する情報などを記憶する。図６に、このリモコン制御記憶部１０７の記憶内容の例を示す。
【００８２】
このリモコン制御記憶部１０７の記憶情報は、例えば、次のようにして生成されて、主装置１のリモコン制御記憶部１０７に格納される。
【００８３】
まず、ＬＡＮ８に、パーソナルコンピュータを接続する。このパーソナルコンピュータには、例えば、光ディスクなどで提供される、この実施形態のボタン電話システムに付随する記憶情報作成用ソフトウエアプログラムをインストールする。そして、この記憶情報作成用ソフトウエアプログラムが起動されると、パーソナルコンピュータは、次の例のようにして、リモコン制御記憶部１０７に記憶する情報の生成処理を実行する。
【００８４】
最初に、主装置１に内線電話端末についての情報の取得要求を出す。すると、主装置１は、内線端末管理部１０６に登録されている内線電話端末の識別情報（内線番号など）や設置位置の情報をパーソナルコンピュータに送る。
【００８５】
パーソナルコンピュータは、内線電話端末の識別情報とその設置位置を、画面に表示して、ユーザに認知させる。そして、パーソナルコンピュータは、ユーザに、リモコン制御記憶部１０７の記憶情報の生成のための操作を指示する。ユーザは、この指示に従った入力操作をすることで、図６のような記憶情報が生成される。
【００８６】
なお、このリモコン制御記憶部１０７の記憶情報の生成処理は、一例であって、これに限られるものではないことは言うまでもない。例えば、この実施形態のボタン電話システムの設置時に、設置業者が、持参した専用パーソナルコンピュータなどを用いて、設定入力を行い、ＬＡＮ８を通じて主装置１のリモコン制御記憶部１０７に記憶するようにしても良い。
【００８７】
図６の例では、被リモコン制御機器のそれぞれに対して、その被リモコン制御機器をリモコン制御する内線電話端末の電話機番号と、内線電話端末のリモコン送信部２６のリモコン方向（図６では、機器方向と記す）と、その被リモコン制御機器のリモコンコードとが、リモコン制御記憶部１０７に記憶される。
【００８８】
機器方向は、前述したように、リモコン送信部２６からの赤外線放射方向であり、図２を用いて前述した方向制御機構２８の円板状部材２８Ａの回転角位置において、例えば、リモコン送信部２６およびカメラ２７が図２に示すような回動角位置にある状態は、回転角位置９０°の状態とされる。そして、図２に示すように、この例においては、リモコン送信部２６およびカメラ２７が、左側端の回転角位置にある状態は、回転角位置０°の状態、右側端の回転角位置にある状態は、回転角位置１８０°の状態、とされる。
【００８９】
また、リモコン制御記憶部１０７に記憶される各リモコンコードには、被リモコン制御機器毎に、リモコンコード番号（図６の１，２，３，・・・）が対応付けられており、この被リモコン制御機器毎のリモコンコード番号が指定されることにより、リモコンコードが特定される。
【００９０】
リモコンコードは、各被リモコン制御機器をリモコン制御するためのリモコン制御用コード情報であり、一般的に、被リモコン制御機器の製造会社毎に異なったものとなることが多い。そこで、この例では、前記パーソナルコンピュータで、例えばインターネットから、それぞれの被リモコン制御機器用のリモコンコードをダウンロードして、このリモコン制御記憶部１０７に、それぞれの被リモコン制御機器番号に対応付けて記憶するようにしている。
【００９１】
図６の例では、内線電話端末２Ａには、電話機番号「１０」が割り当てられ、内線電話端末２Ｂには、電話機番号「２０」が割り当てられている。なお、この例では、これらの電話機番号が、そのまま内線番号とされている。
【００９２】
また、この例では、被リモコン制御機器であるテレビ受信機４Ａ，４Ｂおよびエアコン５Ａ，５Ｂには、被リモコン制御機器番号が付与されている。すなわち、この例では、１階のテレビ受信機４Ａには被リモコン制御機器番号「０１」が、１階のエアコン５Ａには被リモコン制御機器番号「０２」が、２階のテレビ受信機４Ｂには被リモコン制御機器番号「０３」が、２階のエアコン５Ｂには被リモコン制御機器番号「０４」が、それぞれ付与されている。
【００９３】
そして、リモコン制御記憶部１０７には、図６に示すように、内線電話端末の電話機番号に対応付けられて、それぞれの被リモコン制御機器の被リモコン制御機器番号が記憶されている。つまり、どの内線電話端末で、どの被リモコン制御機器がリモコン制御されるかの対応関係情報がリモコン制御記憶部１０７に記憶されている。
【００９４】
また、この例では、リモコン制御記憶部１０７には、各被リモコン制御機器が正常にリモコン制御されたか否かを確認するために使用する音声情報の記憶部（確認音記憶部）および画像情報の記憶部（確認画像記憶部）が、それぞれの被リモコン制御機器に対応して設けられている。
【００９５】
リモコン制御記憶部１０７の確認音記憶部および確認画像記憶部には、リモコンコード毎、すなわち、リモコン制御内容毎に、リモコン制御が正常になされたか否かを確認するために使用する音声情報および画像情報が記憶される。
【００９６】
例えば、リモコン制御内容が「テレビの電源オン」である場合には、テレビ受信機は、無音から一定レベル以上の音量でのスピーカから音声を発生する状態になると共に、テレビ画面には、一定レベル以上の輝度の画像が表示される状態になる。そこで、リモコン制御内容が「テレビの電源オン」である場合の確認音情報としては、一定レベル以上の音声情報が記憶され、また、確認画像情報としては、テレビ画面が一定レベル以上の輝度の画像表示になっている画像情報が記憶される。
【００９７】
また、例えば、リモコン制御内容が「テレビの電源オフ」である場合には、確認音情報としては、無音あるいは一定レベル以下の音声情報が記憶され、また、確認画像情報としては、テレビ画面が無画面の画像表示状態になっている画像情報が記憶される。
【００９８】
また、例えば、リモコン制御内容が「エアコンの電源オン」である場合には、確認音情報としては、電源オン時にエアコンが発生する電子音の音声情報が記憶され、また、確認画像情報としては、エアコンの空気の吹き出し口のルーバー部分が開いた状態の画像情報が記憶される。
【００９９】
また、例えば、リモコン制御内容が「エアコンの電源オフ」である場合には、確認音情報としては、電源オフ時にエアコンが発生する電子音の音声情報が記憶され、また、確認画像情報としては、エアコンの空気の吹き出し口のルーバー部分が閉じた状態の画像情報が記憶される。
【０１００】
リモコン動作確認判断部１０８は、後述するように、リモコン制御指示されてリモコン信号の送出を行った内線電話端末から通話路を通じて送られてくる音声情報および画像情報と、リモコン制御記憶部１０７の確認音情報および確認画像情報とを比較して、両者が、リモコン制御が正常になされたと見なせる程度に近似すると判断したときに、リモコン制御は正常になされたと判断するようにする。
【０１０１】
このリモコン動作確認判断部１０８の判断結果は、外線用インターフェース１０２を通じて、リモコン制御指示をしてきた発呼側端末に送信される。
【０１０２】
なお、このリモコン動作確認判断部１０８は、制御部１０１が内蔵するメモリに格納するプログラムを用いて、ソフトウエア処理機能として実現することも可能である。
【０１０３】
音声情報のみにより、あるいは、画像情報のみにより、リモコン動作確認判断をするようにしても良い。しかし、この実施形態のように、音声情報と画像情報との両方を用いてリモコン動作確認判断をする方が、確認判断の確度が高くなる。
【０１０４】
リモコンモード記憶部１０９には、前述したように、複数の被リモコン制御機器を所望の状態にリモコン制御するリモコンモードの複数個が登録されて記憶されている。このリモコンモードの設定入力も、前述のリモコン制御記憶部１０７の記憶内容情報の入力と同様に、記憶情報作成用ソフトウエアプログラムがインストールされたパーソナルコンピュータにおいて、ユーザあるいはボタン電話システムの設置業者により行われるようにされている。
【０１０５】
すなわち、この実施形態のボタン電話システムでは、ユーザあるいは設置業者は、リモコンモードとして、リモコン制御すべき複数の被リモコン制御機器と、それぞれのリモコン制御内容を設定登録する。すると、設定登録されたリモコンモードにモード番号が付与され、当該リモコンモード番号と、リモコン制御すべき複数の被リモコン制御機器の情報と、それぞれのリモコン制御内容の情報とが、パーソナルコンピュータから主装置１に送られる。
【０１０６】
これにより、リモコンモード番号に対応して、リモコン制御すべき複数の被リモコン制御機器と、それぞれのリモコン制御内容とが、主装置１のリモコンモード記憶部１０９に記憶される。
【０１０７】
図７に、このリモコンモード記憶部１０９の記憶内容の例を示す。図７の例では、夜間居留守モード、帰宅準備モード（１）、帰宅準備モード（２）の３種のリモコンモードが設定登録されて記憶されている。
【０１０８】
夜間居留守モードは、留守であるが、夜間に誰かが居るように見せかけるために、１階と２階のテレビ受信機の電源をオンにするようにリモコン制御するモードである。つまり、被リモコン制御機器のリモコン制御内容は、１階と２階のテレビ受信機４Ａおよび４Ｂ（被リモコン制御機器番号は「０１」および「０３」）の電源は「ＯＮ」とし、１階と２階のエアコン５Ａおよび５Ｂ（被リモコン制御機器番号は「０２」および「０４」）の電源は「ＯＦＦ」と設定されている。
【０１０９】
帰宅準備モード（１）は、１階の被リモコン制御機器のみを帰宅前に電源オンにしておくようにリモコン制御するモードである。つまり、被リモコン制御機器のリモコン制御内容は、１階のテレビ受信機４Ａとエアコン５Ａ（被リモコン制御機器番号は「０１」および「０２」）の電源は「ＯＮ」とし、２階のテレビ受信機４Ｂとエアコン５Ｂ（被リモコン制御機器番号は「０３」および「０４」）の電源は「ＯＦＦ」と設定されている。
【０１１０】
また、帰宅準備モード（２）は、２階の被リモコン制御機器のみを帰宅前に電源オンにしておくようにリモコン制御するモードである。つまり、被リモコン制御機器のリモコン制御内容は、１階のテレビ受信機４Ａとエアコン５Ａ（被リモコン制御機器番号は「０１」および「０２」）の電源は「ＯＦＦ」とし、２階のテレビ受信機４Ｂとエアコン５Ｂ（被リモコン制御機器番号は「０３」および「０４」）の電源は「ＯＮ」と設定されている。
【０１１１】
この実施形態では、後述するように、このようなリモコンモードを設定しておくことにより、モード番号のみを指定してリモコン指示をすることにより、複数の被リモコン制御機器について、希望するリモコンモードの状態にすることができる。したがって、ユーザは、個々の被リモコン制御機器のそれぞれについて、リモコン制御指示する必要がなく、リモコン指示操作が簡単になり、便利である。
【０１１２】
＜第１の実施形態のボタン電話システムにおけるリモコン制御動作例＞
〔被リモコン制御機器の1台毎のリモコン制御〕
図８は、ユーザが、外出先から、発呼側端末として例えば携帯電話端末を用いて、留守番モードに設定されている自宅のボタン電話システム（上述した第１の実施形態のボタン電話システム）に対して電話をかけて、特定の被リモコン制御機器についてのリモコン制御指示をする場合のシーケンス図である。
【０１１３】
ユーザは、外出する際に、この実施形態のボタン電話システムを留守番モードにしておく。そして、この実施形態では、ユーザは、外出先から、例えば携帯電話端末６を用いて、自宅へ電話をかけて、所定の操作を行うことで、後述するようなテレビ受信機やエアコンのリモコン制御ができる。
【０１１４】
すなわち、この図８に示すように、先ず、ユーザは、外出先において、携帯電話端末を用いて自宅のボタン電話システムに対して発呼（発信）を行う。その発呼は、携帯電話網７およびＩＰ電話網３を通じて主装置１に着信する。
【０１１５】
すると、この実施形態のボタン電話システムの主装置１は、留守番モードに設定されているため、この携帯電話端末からの着信に対して自動応答する。この主装置１の自動応答を確認した携帯電話端末の使用者は、予め設定されているリモコン指示コードを、携帯電話端末において例えばテンキーを用いて入力して、主装置１に送る。
【０１１６】
主装置１は、このリモコン指示コードを受け取って確認すると、リモコン指示コードの受付音を発呼側端末である携帯電話端末に送る。そして、その後、主装置１は、ボタン電話システムを、リモコン制御モードにして、発呼側端末からのリモコン指定情報を待つ。
【０１１７】
携帯電話端末では、主装置１からのリモコン指示コードの受付音を受け取ると、当該受付音を放音して、ユーザにリモコン指示コードが受け付けられたことを報知する。この受付音を聴取したユーザは、例えばテンキーを用いてリモコン指定情報を入力して、主装置１に送る。図８の例では、リモコン指定情報は、内線番号と、被リモコン制御機器番号と、リモコンコード番号とからなるものとされている。
【０１１８】
例えば、内線番号が「１０」、被リモコン制御機器番号が「０１」、リモコンコード番号が「１」（電源オン）の場合には、リモコン指定情報は、例えば「１０＊０１＊１＃」とされる。ここで、「＊」はセパレータであり、＃は、入力完了を意味するものとする。
【０１１９】
主装置１は、リモコン指定情報を発呼側端末から受信すると、受け取ったリモコン指定情報によりリモコン制御記憶部１０７を参照し、リモコン指示すべき内線電話端末、その被リモコン制御機器およびリモコン制御動作を認識する。図８の例では、主装置１は、リモコン指示すべき内線電話端末は、内線電話端末２Ａと認識する。
【０１２０】
そして、主装置１は、認識した内線電話端末２Ａに対して、被リモコン制御機器に送るリモコンコードを含むリモコン制御実行指示情報を送る。なお、この実施形態では、このリモコン制御実行指示情報には、内線電話端末２Ａが備えるリモコン送信部２６が、指定された被リモコン制御機器の方向を向くように制御する方向制御情報も含まれている。
【０１２１】
このリモコン制御実行指示情報を受け取った内線電話端末２Ａは、受信したリモコン制御実行指示情報に含まれている方向制御情報により方向制御機構２８を駆動制御して、リモコン送信部２６の赤外線リモコン信号の放射方向を、指定された被リモコン制御機器の方を向くように制御する。
【０１２２】
次いで、リモコン制御実行指示情報を受け取った内線電話端末２Ａは、マイクロホンインターフェース２０９からのマイクロホン２５の収音音声の取り込みを開始すると共に、カメラ２７での撮影を開始させて、カメラインターフェース２１０からの撮影画像の取り込みを開始するようにする。
【０１２３】
そして、主装置１は、リモコン制御実行指示情報を受け取った内線電話端末２Ａとの間に、通話路を生成する。内線電話端末２Ａは、マイクロホン２５で収音した音声情報を、生成した通話路を通じて主装置１に送信すると共に、カメラ２７で撮影した画像情報を、生成した通話路を通じて主装置１に送信する。この場合、内線電話端末２Ａから主装置１に送信する画像情報としては、データ圧縮した動画情報であっても良いし、一定時間間隔で間欠的に取り込んだ静止画情報をデータ圧縮した情報であっても良い。
【０１２４】
リモコン制御実行指示情報を受け取った内線電話端末２Ａは、主装置１との通話路を生成した後、被リモコン制御機器に対して、リモコン制御実行指示情報に含まれるリモコンコードを、リモコン送信部２６から赤外線リモコン信号として送出するようにする。
【０１２５】
主装置１は、この内線電話端末２Ａからの赤外線リモコン信号の送出の前後の音声情報および撮影画像情報を前記通話路を通じて受信している。そして、前述したように、この実施形態では、主装置１は、内線電話端末２Ａから送出されたリモコンコードに対応してリモコン制御記憶部１０７の確認音記憶部や確認画像記憶部に記憶されている確認音や確認画像と、受信した音声情報と撮影画像情報とを比較対照して、リモコン制御動作が正しくなされたか否かを、リモコン動作確認判断部１０８で判断する。
【０１２６】
そして、主装置１のリモコン動作確認判断部１０８で、リモコン制御動作が正しくなされなかったと判断したときには、この実施形態の主装置１は、再度、リモコン制御実行指示情報を、通話路を生成中の内線電話端末２Ａに送って、リモコン制御のリトライを指示する。
【０１２７】
したがって、内線電話端末２Ａは、被リモコン制御機器に対して、リモコン制御実行指示情報に含まれるリモコンコードを、リモコン送信部２６から赤外線リモコン信号として送出して、リモコン制御をリトライするようにする。
【０１２８】
なお、この場合に、再送するリモコン制御実行指示情報に含める方向制御情報を、若干変更して、リモコン信号の放射方向を変更するようにしても良い。その場合に、その方向変更の仕方としては、リトライを実行する毎に、リモコン制御情報記憶部１０７に記憶されている機器方向を中心として、プラスとマイナスの方向に交互に変更するようにすると良い。
【０１２９】
主装置１のリモコン動作確認判断部１０８で、内線電話端末２Ａからの音声情報および画像情報を用いたリモコン動作確認判断の結果、リモコン制御動作が正しくなされたと判断したときには、この実施形態の主装置１は、リモコン制御動作が正しくなされたことを報知するための確認音を、発呼側端末、この例では携帯電話端末に送る。
【０１３０】
この確認音を受け取った携帯電話端末の使用者は、続けて、他の被リモコン制御機器についてのリモコン制御を行おうとする場合には、新たなリモコン指定情報を、主装置１に送るようにする。
【０１３１】
その新たなリモコン指定情報を受け取った主装置１は、当該新たなリモコン指定情報により指定される被リモコン制御機器は、現在、通話路を生成中の内線電話端末でリモコン制御することができるものであるかどうかを判断する。
【０１３２】
そして、主装置１は、新たなリモコン指定情報により指定される被リモコン制御機器は、現在、通話路を生成中の内線電話端末ではない他の内線電話端末２Ｂでリモコン制御されるものであると判断すると、図８に示すように、それまでの内線電話端末２Ａとの通話路を解放した後、上述と同様にして、内線電話端末２Ｂに対してリモコン制御実行指定情報の送信処理を行う。内線電話端末２Ｂは、図８では、図示を省略するが、このリモコン制御実行指示情報を受けると、マイクロホン２５およびカメラ２７を動作状態にする。そして、主装置１は、内線電話端末２Ｂとの間に通話路を生成する。これにより、上述と同様にして、この内線電話端末２Ｂのリモコン送信部を用いた別の被リモコン制御機器に対する別のリモコン制御を実行する。
【０１３３】
そして、リモコン制御を終了する場合には、携帯電話端末の使用者は、主装置１との間の通話路を切断する操作を行う。この通話路の切断操作があると、携帯電話端末とボタン電話システムとの通信路が切断され、上述のリモコン制御のシーケンスが終了する。
【０１３４】
なお、図８のシーケンス例では、リモコン指定情報として、ユーザは、ボタン電話システムの内線番号をも入力するようにした。しかし、主装置１のリモコン制御記憶部１０７には、被リモコン制御機器番号と、その機器番号の被リモコン制御機器をリモコン制御する内線電話端末の内線番号とは、対応付けられて記憶されている。したがって、被リモコン制御機器番号が指定されると、その機器番号の被リモコン制御機器をリモコン制御する内線電話端末は、リモコン制御記憶部１０７の記憶情報から特定できる。このため、リモコン指定情報には、内線番号は含めなくても良い。
【０１３５】
〔リモコンモードを用いた複数の被リモコン制御機器のリモコン制御指定〕
図９は、リモコン制御指示におけるリモコン指定情報が、図８の例とは異なり、リモコンモード番号による場合のシーケンス図である。
【０１３６】
図９に示すように、先ず、ユーザは、外出先において、携帯電話端末を用いて自宅のボタン電話システムに対して発呼を行う。すると、この実施形態のボタン電話システムの主装置１は、留守番モードに設定されているため、この携帯電話端末からの着信に対して自動応答する。この主装置１の自動応答を確認した携帯電話端末の使用者は、予め設定されているリモコン指示コードを、携帯電話端末において例えばテンキーを用いて入力して、主装置１に送る。
【０１３７】
主装置１は、このリモコン指示コードを受け取って確認すると、リモコン指示コードの受付音を発呼側端末である携帯電話端末に送る。そして、その後、主装置１は、ボタン電話システムを、リモコン制御モードにして、発呼側端末からのリモコン指定情報を待つ。携帯電話端末では、主装置１からのリモコン指示コードの受付音を受け取ると、当該受付音を放音して、ユーザにリモコン指示コードが受け付けられたことを報知する。ここまでは、図８の例の個々の被リモコン制御機器毎のリモコン制御指示の場合と同様である。
【０１３８】
この図９の例においては、リモコン指示コードの受付音を聴取したユーザは、例えばテンキーを用いてリモコン指定情報としてリモコンモード番号を入力して、当該リモコンモード番号を主装置１に送る。
【０１３９】
主装置１は、このリモコンモード番号を受け取ると、リモコンモード記憶部１０９の記憶内容を参照し、受信したリモコンモード番号により指定されるリモコンモードにおける複数の被リモコン制御機器およびそのリモコン制御内容を把握認識する。主装置１は、同時に、指定された複数の被リモコン制御機器のそれぞれをリモコン制御する内線電話端末をも把握認識する。
【０１４０】
そして、主装置１は、指定されたリモコンモードにおける複数の被リモコン制御機器のすべてについて、以下に説明するようにして、順次にリモコン制御指示を行うようにする。
【０１４１】
先ず、指定されたリモコンモードにおける複数の被リモコン制御機器のうちの一つについてのリモコン制御処理を、図８の例の場合と同様にして行う。すなわち、図９の例では、最初の被リモコン制御機器は、内線電話端末２Ａによりリモコン制御される被リモコン制御機器と把握し、内線電話端末２Ａに対して、被リモコン制御機器に送るリモコンコードを含むリモコン制御実行指示情報を送る。なお、この実施形態では、このリモコン制御実行指示情報には、内線電話端末２Ａが備えるリモコン送信部２６が、指定された被リモコン制御機器の方向を向くように制御する方向制御情報も含まれている。
【０１４２】
このリモコン制御実行指示情報を受け取った内線電話端末２Ａは、受信したリモコン制御実行指示情報に含まれている方向制御情報により方向制御機構２８を駆動制御して、リモコン送信部２６の赤外線リモコン信号の放射方向を、指定された被リモコン制御機器の方を向くように制御する。
【０１４３】
次いで、リモコン制御実行指示情報を受け取った内線電話端末２Ａは、マイクロホンインターフェース２０９からのマイクロホン２５の収音音声の取り込みを開始すると共に、カメラ２７での撮影を開始させて、カメラインターフェース２１０からの撮影画像の取り込みを開始するようにする。
【０１４４】
そして、主装置１と、リモコン制御実行指示情報を受け取った内線電話端末２Ａとは、通話路を生成する。内線電話端末２Ａは、マイクロホン２５で収音した音声情報を、生成した通話路を通じて主装置１に送信すると共に、カメラ２７で撮影した画像情報を、生成した通話路を通じて主装置１に送信する。
【０１４５】
リモコン制御実行指示情報を受け取った内線電話端末２Ａは、通話路を生成した後、被リモコン制御機器に対して、リモコン制御実行指示情報に含まれるリモコンコードを、リモコン送信部２６から赤外線リモコン信号として送出するようにする。
【０１４６】
主装置１は、この内線電話端末２Ａからの赤外線リモコン信号の送出の前後の音声情報および撮影画像情報を通話路を通じて受信している。そして、前述したように、この実施形態では、主装置１は、内線電話端末２Ａから送出されたリモコンコードに対応してリモコン制御記憶部１０７の確認音記憶部や確認画像記憶部に記憶されている確認音や確認画像と、受信した音声情報と撮影画像情報とを比較対照して、例えば両者が一致したと見なせるか否かにより、リモコン制御動作が正しくなされたか否かを、リモコン動作確認判断部１０８で判断する。
【０１４７】
そして、主装置１は、リモコン動作確認判断部１０８で、リモコン制御動作が正しくなされなかったと判断したときには、前述したように、内線電話端末２Ａに対してリモコン制御実行指示情報を再送信して、リモコン制御をリトライさせるようにする。
【０１４８】
また、主装置１は、リモコン制御動作が正しくなされたと判断したときには、指定されたリモコンモードにおける複数の被リモコン制御機器のうちで、未だ、リモコン制御が実行されていない被リモコン制御機器があるかどうか判断する。そして、未だ、リモコン制御が実行されていない被リモコン制御機器があると判断したときには、主装置１は、次にリモコン制御すべき被リモコン制御機器は、現在、通話路を生成中の内線電話端末でリモコン制御することができるものであるかどうかを判断する。
【０１４９】
次にリモコン制御すべき被リモコン制御機器は、現在、通話路を生成中の内線電話端末でリモコン制御することができるものであると判断したときには、主装置１は、現在、生成中の通話路を維持する。そして、主装置１は、未実行の被リモコン制御機器についてのリモコン制御のための処理シーケンスを、上述と同様にして実行する。
【０１５０】
また、主装置１は、次にリモコン制御すべき被リモコン制御機器は、現在、通話路を生成中の内線電話端末ではない他の内線電話端末でリモコン制御するものであると判断したときには、それまでの内線電話端末との通話路を解放した後、未実行の被リモコン制御機器についてのリモコン制御のための処理シーケンスを、上述と同様にして実行する。
【０１５１】
そして、主装置１は、指定されたリモコンモードにおける複数の被リモコン制御機器の全てのリモコン制御が終了したと判断したときには、それまでの内線電話端末との通話路を解放すると共に、発呼側端末である携帯電話端末に、全ての制御完了である旨の制御完了通知を送る。この制御完了通知は、その旨を報知する確認音や表示メッセージを含み、携帯電話端末において、制御完了の確認音が放音されると共に、制御完了の確認メッセージが表示される。
【０１５２】
この制御完了通知を受け取ったユーザが、主装置１との間の通話路を切断する操作を行った場合には、携帯電話端末とボタン電話システムとの通信路が切断され、上述のリモコン制御のシーケンスが終了する。
【０１５３】
〔主装置１の処理動作〕
以上説明したリモコン制御のシーケンスを実行するための主装置１における処理動作を、図１０〜図１３に示すフローチャートを参照しながら説明する。この図１０〜図１３の各ステップの処理は、主装置１の制御部１０１が実行するものである。
【０１５４】
先ず、制御部１０１は、外線用インターフェース１０２を通じた着信を検知したか否か判別し（ステップＳ１０１）、着信を検知しなかったときには、その他の処理ルーチンを実行し（ステップＳ１０２）、その後、ステップＳ１０１に戻る。
【０１５５】
ステップＳ１０１で、着信を検知したときには、制御部１０１は、留守番設定されているか否か判別し（ステップＳ１０３）、留守番設定されていなければ、通常の着信処理ルーチンを実行する。また、ステップＳ１０３で、留守番設定されていると判別したときには、制御部１０１は、着信に対して自動応答して、留守番メッセージを発呼側に送出する（ステップＳ１０４）。
【０１５６】
次に、制御部１０１は、発呼側からリモコン指示コードが送られてきたか否か判別し（ステップＳ１０５）、リモコン指示コードを受信しないときには、通常の留守番応答後の処理ルーチンを実行する。
【０１５７】
ステップＳ１０５で、発呼側からのリモコン指示コードを受信したと判別したときには、制御部１０１は、リモコン指定情報の受信を監視する（ステップＳ１０６）。そして、ステップＳ１０６でリモコン指定情報を受信していないときには、制御部１０１は、発呼側で切断操作がなされたか否か判別し（ステップＳ１０７）、切断操作がなされていないと判別したときには、ステップＳ１０６に戻り、リモコン指定情報の受信を待つ。また、ステップＳ１０７で、発呼側で切断操作がなされたと判別したときには、制御部１０１は、発呼側との間の通信路を切断して（ステップＳ１０８）、この処理ルーチンを終了する。
【０１５８】
また、ステップＳ１０６で、リモコン指定情報を受信したと判別したときには、制御部１０１は、リモコン指定情報は、リモコンモード番号であるか否か判別する（ステップＳ１０９）。そして、リモコン指定情報は、リモコンモード番号でなければ、制御部１０１は、リモコン指定情報として送られてくる内線番号から、被リモコン制御機器をリモコン制御する内線電話端末を把握する（ステップＳ１１０）。なお、内線番号がリモコン指定情報に含まれていなくても、被リモコン制御機器番号が存在していれば、リモコン制御記憶部１０７の内容から、当該被リモコン制御機器をリモコン制御する内線電話端末は特定することができるものである。
【０１５９】
次に、制御部１０１は、受信したリモコン指定情報により指定された内線電話端末に、リモコン制御実行指示情報を送出する（ステップＳ１１１）。このリモコン制御実行指示情報には、前述したように、リモコンコードと、被リモコン制御機器の方向に内線電話端末のリモコン送信部２６が向くようにするための機器方向の情報を含む。
【０１６０】
次に、制御部１０１は、受信したリモコン指定情報により指定された内線電話端末との間に通話路を生成する（ステップＳ１１２）。そして、制御部１０１は、生成された通話路を通じて内線電話端末から送られてくる音声情報および画像情報を受信し、これら受信した音声情報および画像情報と、リモコン制御記憶部１０７に記憶している確認音の情報および確認画像の情報とを比較し、例えば一致と見なせるかどうかにより、指定された被リモコン制御機器についてのリモコン制御動作が正常になされたかどうかを確認判断する（図１１のステップＳ１２１）。
【０１６１】
そして、制御部１０１は、リモコン制御動作は正常に完了したか否か判別し（ステップＳ１２２）、リモコン制御動作が正常に完了してはいないと判別したときには、指定された内線電話端末に、リモコン制御実行指示情報を再送信する（ステップＳ１２３）。前述したように、この再送信されるリモコン制御実行指示情報には、内線電話端末のリモコン送信部２６の方向を変更させる方向制御情報を含めるようにすることができる。このステップＳ１２３の次には、ステップＳ１２１に戻り、リモコン制御動作の確認判断をする。
【０１６２】
そして、ステップＳ１２２で、リモコン制御動作は正常に完了したと判別したときには、制御部１０１は、リモコン制御完了をユーザに報知する確認音を発呼側に送る（ステップＳ１２４）。
【０１６３】
次に、制御部１０１は、更なるリモコン指定情報を受信したか否か判別し（ステップＳ１２５）、更なるリモコン指定情報を受信したと判別したときには、指定された内線電話端末を把握し（ステップＳ１２６）、把握した内線電話端末は、現在、通話路で接続されている内線電話端末であるか否か判別する（ステップＳ１２７）。そして、把握した内線電話端末は、現在、通話路で接続されている内線電話端末と同じであると判別したときには、制御部１０１は、指定された内線電話端末に、新たなリモコン指定情報に基づくリモコン制御実行指示情報を送信する（ステップＳ１２９）。そして、ステップＳ１２１に戻る。
【０１６４】
また、ステップＳ１２７で、把握した内線電話端末は、現在、通話路で接続されている内線電話端末とは異なった内線電話端末であると判別したときには、制御部１０１は、現在生成中の通話路を解放し（ステップＳ１２８）、その後、ステップＳ１１１に戻り、前述したステップＳ１１１以降の処理を繰り返す。
【０１６５】
また、図１０のステップＳ１０９で、リモコン指定情報は、リモコンモード番号であると判別したときには、制御部１０１は、受信したリモコンモード番号を検索子としてリモコンモード記憶部１０９を参照することで、リモコンモードを認識する（図１２のステップＳ１４１）。
【０１６６】
そして、制御部１０１は、認識したリモコンモードから、最初にリモコン制御すべき被リモコン制御機器を認識し、当該認識した被リモコン制御機器をリモコン制御する内線電話端末を、リモコン制御記憶部１０７を参照して認識する（ステップＳ１４２）。
【０１６７】
次に、制御部１０１は、認識した内線電話端末に、最初にリモコン制御すべき被リモコン制御機器についての指定されたリモコンコードを含むリモコン制御実行指示情報を送信する（ステップＳ１４３）。
【０１６８】
次に、制御部１０１は、認識した内線電話端末との間に通話路を生成する（ステップＳ１４４）。そして、制御部１０１は、生成された通話路を通じて内線電話端末から送られてくる音声情報および画像情報を受信し、これら受信した音声情報および画像情報と、リモコン制御記憶部１０７に記憶している確認音の情報および確認画像の情報とを比較することで、指定された被リモコン制御機器についてのリモコン制御動作が正常になされたかどうかを確認判断する（ステップＳ１４５）。
【０１６９】
そして、制御部１０１は、リモコン制御動作は正常に完了したか否か判別し（ステップＳ１４６）、リモコン制御動作が正常に完了してはいないと判別したときには、指定された内線電話端末に、リモコン制御実行指示情報を再送信する（ステップＳ１４７）。前述したように、この再送信されるリモコン制御実行指示情報には、内線電話端末のリモコン送信部２６の方向を変更させる方向制御情報を含めるようにすることができる。このステップＳ１４７の次には、ステップＳ１４５に戻り、リモコン制御動作の確認判断をする。
【０１７０】
そして、ステップＳ１４６で、リモコン制御動作は正常に完了したと判別したときには、制御部１０１は、指定されたリモコンモードにおいて、未だ、実行されていないリモコン制御があるか否か判別する（図１３のステップＳ１５１）。
【０１７１】
このステップＳ１５１で、未だ、実行されていないリモコン制御があると判別したときには、制御部１０１は、その未実行のリモコン制御をすべき被リモコン制御機器を認識し、その被リモコン制御機器をリモコン制御する内線電話端末を認識する（ステップＳ１５２）。そして、認識した内線電話端末は、現在、通話路で接続されている内線電話端末であるか否か判別する（ステップＳ１５３）。
【０１７２】
そして、ステップＳ１５３で、認識した内線電話端末は、現在、通話路で接続されている内線電話端末と同じであると判別したときには、制御部１０１は、指定された内線電話端末に、新たなリモコン指定情報に基づくリモコン制御実行指示情報を送信する（ステップＳ１５４）。そして、次に、ステップＳ１４５に戻り、前述したステップＳ１４５以降の処理を繰り返す。
【０１７３】
また、ステップＳ１５３で、認識した内線電話端末は、現在、通話路で接続されている内線電話端末と異なると判別したときには、制御部１０１は、現在生成中の通話路を解放し（ステップＳ１５５）、その後、ステップＳ１４３に戻り、前述したステップＳ１４３以降の処理を繰り返す。
【０１７４】
そして、ステップＳ１５１で、指定されたリモコンモードにおいて、未だ、実行されていないリモコン制御がないと判別したときには、制御部１０１は、リモコン制御完了通知を発呼側に送信する（ステップＳ１５６）。そして、制御部１０１は、発呼側の切断操作を待ち（ステップＳ１５７）、切断操作があったときには、発呼側との通話路および内線電話端末との通話路を切断して（ステップＳ１５８）、この処理ルーチンを終了する。
【０１７５】
〔内線電話端末２の処理動作〕
図１４および図１５は、上述のリモコン制御のシーケンスが実行されるときにおける内線電話端末２の処理動作例を示すフローチャートである。この図１４および図１５の各ステップの処理は、内線電話端末２の制御部２０１が実行するものである。
【０１７６】
内線電話端末２の制御部２０１は、主装置１からの制御信号を監視し（ステップＳ１６１）、主装置１からの制御信号を受信していないときには、その他の処理を実行し（ステップＳ１６２）、その後、ステップＳ１６１に戻る。
【０１７７】
ステップＳ１６１で、主装置１からの制御信号を受信したと判別したときには、制御部２０１は、受信した制御信号は、リモコン制御実行指示情報であるか否か判別し（ステップＳ１６３）、リモコン制御実行指示情報ではないと判別したときには、受信した制御信号に応じたその他の処理ルーチンに移行する（ステップＳ１６４）。
【０１７８】
そして、ステップＳ１６３で、受信した制御信号は、リモコン制御実行指示情報であると判別したときには、制御部２０１は、ステップＳ１６５に進み、リモコン送信部２６の赤外線リモコン信号の放射方向を、指示された方向となるように制御する。また、ステップＳ１６５では、制御部２０１は、マイクロホン２５およびカメラ２７に電源を供給すると共に、マイクロホンインターフェース２０９およびカメラインターフェース２１０から、マイクロホン２５からの収音音声情報およびカメラ２７の撮影画像情報を取り込む。さらに、ステップＳ１６５では、制御部２０１は、主装置１との間に通話路を生成する。
【０１７９】
次に、制御部２０１は、リモコン制御実行指示情報に含まれて受信したリモコンコードに応じた赤外線リモコン信号を、リモコン送信部２６から送出するようにする（ステップＳ１６６）。
【０１８０】
次に、制御部２０１は、マイクロホン２５で収音した音声情報と、カメラ２７で撮影した画像情報とを、生成した通話路を通じて主装置１に送信する（ステップＳ１６７）。
【０１８１】
次に、制御部２０１は、主装置１からリトライ指示を受信したか否か判別し（図１５のステップＳ１７１）、リトライ指示を受信したと判別したときには、再度、同じ赤外線リモコン信号をリモコン送信部２６から送出する（ステップＳ１７２）。このとき、リトライ指示にリモコン送信部２６の方向制御信号が含まれている場合には、当該方向制御を行った後に、再度の赤外線リモコン信号送出を実行するものである。
【０１８２】
ステップＳ１７１で、リトライ指示を受信していないと判別したとき、また、ステップＳ１７２の次には、制御部２０１は、主装置１から通話路の解放要求を受信したか否か判別し（ステップＳ１７３）、通話路の解放要求を受信してはいないと判別したときには、主装置１から別のリモコン制御実行指示情報を受信したか否か判別する（ステップＳ１７４）。
【０１８３】
そして、ステップＳ１７４で、別のリモコン制御実行指示情報を受信したと判別したときには、制御部２０１は、ステップＳ１６５に戻り、このステップＳ１６５以降の処理を繰り返す。ただし、このときには、主装置１との通話路は解放されていないので、ステップＳ１６５での主装置１との間の通話路の生成は行われない。
【０１８４】
ステップＳ１７４で、別のリモコン制御実行指示を受信していないと判別したときには、制御部２０１は、主装置１から通信終了指示を受信したか否か判別し（ステップＳ１７５）、終了指示を受信していなければ、ステップＳ１７１に戻って、このステップＳ１７１以降の処理を繰り返し、終了指示を受信したと判別したときには、終了処理を行って（ステップＳ１７９）、この処理ルーチンを終了する。
【０１８５】
また、ステップＳ１７３で、通話路の解放要求を受信したと判別したときには、制御部２０１は、通話路の解放処理を行う（ステップＳ１７６）。その後、制御部２０１は、主装置１から別のリモコン制御実行指示情報を受信したか否か判別する（ステップＳ１７７）。
【０１８６】
そして、ステップＳ１７７で、別のリモコン制御実行指示情報を受信したと判別したときには、制御部２０１は、ステップＳ１６５に戻り、このステップＳ１６５以降の処理を繰り返す。このときには、主装置１との通話路は解放されているので、ステップＳ１６５での主装置１との間の通話路の生成処理を実行する。
【０１８７】
ステップＳ１７７で、別のリモコン制御実行指示を受信していないと判別したときには、制御部２０１は、主装置１から通信終了指示を受信したか否か判別し（ステップＳ１７８）、終了指示を受信していなければ、ステップＳ１７７に戻って、このステップＳ１７７以降の処理を繰り返し、終了指示を受信したと判別したときには、終了処理を行って（ステップＳ１７９）、この処理ルーチンを終了する。
【０１８８】
〔第１の実施形態の効果〕
上述した第１の実施形態によれば、外出先から自宅のボタン電話システムを用いて、テレビ受信機やエアコンのリモコン制御ができる。しかも、この第１の実施形態においては、主装置１では、リモコン制御を実行した内線電話端末の周囲音や周囲画像を用いて、リモコン制御が正常に完了したか否かを判断し、その判断結果を、リモコン指示をした発呼側に通知するようにしている。このため、外出先からリモコン制御指示をしたユーザは、リモコン制御が、確実に実行されたか否かを知ることができるという顕著な効果を奏する。
【０１８９】
また、この第１の実施形態では、主装置１は、内線電話端末に指示したリモコン制御が正常に完了しなかったときには、内線電話端末にリトライ指示をするようにしたので、リモコン制御が確実に実行される確率が高くなるという効果を奏する。
【０１９０】
また、この第１の実施形態では、主装置１から内線電話端末に送られるリモコン制御実行指示情報には、内線電話端末が備えるリモコン送信部からの赤外線リモコン信号の放射方向を制御する情報が含まれており、これにより、リモコン送信部からの赤外線リモコン信号の放射方向は、被リモコン制御機器に応じた方向となるように制御されるので、リモコン制御が、より確実に実行されるという効果を奏する。
【０１９１】
また、上述した第１の実施形態においては、複数の被リモコン制御機器の制御からなるリモコンモードを設定することができて、そのリモコンモード番号を指定するだけで、当該複数の被リモコン制御機器のリモコン制御をすることができる。したがって、ユーザは、個々の被リモコン制御機器を１台ずつ、リモコン制御指示する必要はないので、非常に便利である。
【０１９２】
〔第１の実施形態の変形例〕
なお、上述の第１の実施形態の説明では、主装置１は、リモコン制御が正常に完了したことのみを、その確認音として発呼側に通知するようにしたが、リモコン制御が正常に完了しなかったことも、発呼側に通知するようにしても勿論よい。また、主装置１から、リトライ中を発呼側に通知するようにしても良い。
【０１９３】
また、これらの通知は、その確認音のみを用いてもよいが、発呼側が携帯電話端末などでは、表示画面に表示可能なメッセージを、確認音に代えて、あるいは確認音に加えて、通知情報としてもよい。
【０１９４】
なお、主装置１とリモコン制御実行指示対象の内線電話端末２との間の通話路は、上述の実施形態では、主装置１は、リモコン制御実行指示情報を内線電話端末２に送出した後に生成するようにしたが、この通話路の生成は、リモコン制御実行指示情報を内線電話端末２に送出する前であってもよい。
【０１９５】
なお、上述の実施形態では、リモコンモード番号をリモコン指定情報とする場合において、主装置のリモコン動作確認判断部１０８の確認判断結果を用いて、被リモコン制御機器毎のリモコン制御時にリトライを実行するようにした。しかし、確認判断結果を、リモコンモードで指定される複数の被リモコン制御機器の全てについて記憶しておき、リモコンモードにおける複数の被リモコン制御機器の全てについてのリモコン制御が完了した後に、記憶した確認判断結果を参照し、正常にリモコン制御動作が完了してはいない被リモコン制御機器について、再度の個別のリモコン制御を行うように構成しても良い。
【０１９６】
［第２の実施形態］
上述した第１の実施形態では、主装置１が、通話路を通じて取得した内線電話端末からの音声情報および画像情報を用いて、リモコン制御が正常に完了したか否かを判断し、その判断結果を、リモコン制御指示を出した発呼側に通知するようにした。
【０１９７】
これに対して、第２の実施形態は、主装置１では、リモコン制御が正常に完了したか否かを判断しない。その代わりに、リモコン制御を実行した内線電話端末からのリモコン制御が正常に完了したか否かを確認するための情報である音声情報および画像情報を、発呼側端末に送信するようにする。発呼側端末、例えば携帯電話端末では、受信した音声情報をスピーカにより放音すると共に、画像情報は表示画面に表示するようにする。
【０１９８】
したがって、発呼側端末の使用者は、受信した音声情報を聴取したり、表示画面に表示された画像を観視することにより、ボタン電話システムの内線電話端末においてリモコン制御が正常に完了したかどうかを確認することができる。
【０１９９】
そして、この第２の実施形態では、発呼側端末のユーザは、聴取した音声や観視した画像から、リモコン制御が正常に完了してはいないと判断したときには、特定の操作情報、例えば、「＊９９９」を入力することにより、リトライ指示をボタン電話システムの主装置１に送信することができるように構成されている。主装置１は、このリトライ指示を受けると、リトライを内線電話端末に指示するようにする。
【０２００】
そして、この第２の実施形態では、発呼側端末のユーザは、聴取した音声や観視した画像から、リモコン制御が正常に完了したと判断したときには、特定の操作、例えば「＊０００」を入力して、それを主装置１に送ることにより、正常終了確認を通知するようにする。
【０２０１】
この第２の実施形態においても、音声情報のみにより、あるいは、画像情報のみにより、ユーザが、リモコン動作確認判断をするようにしても良い。しかし、音声情報と画像情報との両方を用いてリモコン動作確認判断をする方が、確認判断の確度が高くなる。
【０２０２】
この第２の実施形態の内線電話端末のハードウエア構成は、図２〜図４を用いて説明した第１の実施形態と全く同様である。また、この第２の実施形態のボタン電話システムの主装置１の電気的ハードウエア構成は、図５において、リモコン動作確認判断部１０８が存在しないことを除けば、第１の実施形態と同様である。
【０２０３】
＜第２の実施形態のボタン電話システムにおけるリモコン制御動作例＞
〔被リモコン制御機器の1台毎のリモコン制御〕
図１６は、ユーザが、外出先から、発呼側端末として例えば携帯電話端末を用いて、留守番モードに設定されている自宅のボタン電話システム（上述した第２の実施形態のボタン電話システム）に対して電話をかけて、特定の被リモコン制御機器についてのリモコン制御指示をする場合のシーケンス図である。
【０２０４】
この図１６のシーケンス図において、外出先のユーザが携帯電話端末を発呼側端末として用いて、留守番モードに設定されている自宅のボタン電話システムに対して電話をかけてから、主装置１が自動応答し、リモコン指定情報を受け付け、リモコン制御対象の被リモコン制御機器をリモコン制御する内線電話端末に、リモコン制御実行指示情報を送信するまでの動作は、第１の実施形態と全く同様である。
【０２０５】
そして、この第２の実施形態においても、リモコン制御実行指示情報を受け取った内線電話端末２Ａは、受信したリモコン制御実行指示情報に含まれている方向制御情報により方向制御機構２８を駆動制御して、リモコン送信部２６の赤外線リモコン信号の放射方向を、指定された被リモコン制御機器の方を向くように制御する。
【０２０６】
次いで、リモコン制御実行指示情報を受け取った内線電話端末２Ａは、マイクロホンインターフェース２０９からのマイクロホン２５の収音音声の取り込みを開始すると共に、カメラ２７での撮影を開始させて、カメラインターフェース２１０からの撮影画像の取り込みを開始するようにする。
【０２０７】
その後、第２の実施形態では、主装置１は、図１６に示すように、内線電話端末２Ａと、発呼側端末である携帯電話端末との間に通話路を生成する。そして、内線電話端末２Ａは、第１の実施形態の場合と同様に、マイクロホン２５で収音した音声情報を、生成した通話路を通じて送出するが、その送信先は、この第２の実施形態では、発呼側端末である携帯電話端末とされる。
【０２０８】
したがって、発呼側端末である携帯電話端末では、内線電話端末２Ａのマイクロホン２５で収音された音声を受話音声として取得すると共に、画像情報を取得して表示画面に表示する。
【０２０９】
この状態において、内線電話端末２Ａは、被リモコン制御機器に対して、リモコン制御実行指示情報に含まれるリモコンコードを、リモコン送信部２６から赤外線リモコン信号として送出するようにする。
【０２１０】
発呼側端末の携帯電話端末の使用者（ユーザ）は、このときに受信した音声および画像により、リモコン制御が正常に完了したかを耳および目で確認することができる。
【０２１１】
その結果、ユーザは、リモコン制御が正常に完了したことを確認できたときには、携帯電話端末で、リモコン制御が正常に終了したことを示す正常終了確認入力をする。そして、さらに続いて他の被リモコン制御機器のリモコン制御を実行したい場合には、次のリモコン制御指示をすることができる。
【０２１２】
また、リモコン制御が正常に完了したことを確認できなかったときには、ユーザは、上述したリトライ指示を携帯電話端末を通じて入力して、主装置１に送るようにすることができる。
【０２１３】
このリトライ指示を受け取った主装置１は、再度、リモコン制御実行指示情報を、通話路を生成中の内線電話端末２Ａに送って、リモコン制御のリトライを指示する。
【０２１４】
したがって、内線電話端末２Ａは、被リモコン制御機器に対して、リモコン制御実行指示情報に含まれるリモコンコードを、リモコン送信部２６から赤外線リモコン信号として送出して、リモコン制御をリトライし、そのときの、周囲音声および画像を、発呼側端末に通話路を通じて送信する。
【０２１５】
発呼側端末の携帯電話端末は、音声および画像で、リトライのリモコン制御により、所期のリモコン制御が正常に完了したかを確認することができる。
【０２１６】
なお、ユーザは、表示画面に表示されている画像情報から、被リモコン制御機器の方向を確認することができるので、リトライ指示を発呼側端末から送る際に、リモコン送信部２６からの赤外線リモコン信号の放射方向を変更指示するようにするようにしても良い。
【０２１７】
この場合に、ユーザは、例えば「＊＊１０」により、現在よりも左方向に１０°、「＃＃１０」により、現在よりも右方向に１０°というように、リモコン送信部２６からの赤外線リモコン信号の放射方向を変更指示することができる。
【０２１８】
この方向制御情報は、主装置１から内線電話端末に送られるリトライ時のリモコン制御実行指示情報に含められる。
【０２１９】
そして、リモコン制御を終了する場合には、携帯電話端末の使用者は、切断操作を行う。この切断操作があると、主装置１は、携帯電話端末とボタン電話システムとの通信路を切断し、上述のリモコン制御のシーケンスが終了する。
【０２２０】
〔リモコンモードを用いた複数の被リモコン制御機器のリモコン制御指定〕
第２の実施形態においても、第１の実施形態と同様にして、ユーザは、外出先などから、携帯電話端末などを用いて、自宅のボタン電話システムに対して発呼をし、リモコン指定情報として、リモコンモード番号を、ボタン電話システムの主装置１に対して送ることにより、複数の被リモコン制御機器のリモコン制御指定を簡単な操作で行うことができる。
【０２２１】
そして、この第２の実施形態では、上述の個々の被リモコン制御機器のリモコン制御の場合と同様に、ユーザは、発呼側端末で、内線電話端末からの音声情報や画像情報を視聴することで、リモコン制御が正常に完了したか否かを耳や目視で判断するようにする。
【０２２２】
したがって、第１の実施形態の場合におけるリモコンモードを用いたリモコン制御指定の場合とは、図１６の個々の被リモコン制御機器のリモコン制御のシーケンスにおける場合と同様に、リモコン制御を実行する内線電話端末と発呼側端末とが通話路で接続され、この通話路を通じて前記内線電話端末からの音声情報や画像情報が発呼側端末に送られて、発呼側ユーザが、リモコン制御が正常に完了したか否かを耳や目視で判断するようにする点のみが異なる。よって、ここでは、リモコンモード番号をリモコン指定情報とする場合のシーケンス図は、省略する。
【０２２３】
〔第２の実施形態の主装置１の処理動作〕
次に、この第２の実施形態におけるリモコン制御のシーケンスを実行するための主装置１の処理動作を、図１７〜図２０に示すフローチャートを参照しながら説明する。この図１７〜図２０の各ステップの処理も、主装置１の制御部１０１が実行するものである。
【０２２４】
図１７は、第１の実施形態における図１０に対応するもので、ステップＳ２０１からステップＳ２１１までの処理は、図１０のステップＳ１０１からステップＳ１１１までの処理と全く同じである。
【０２２５】
そして、この第２の実施形態では、主装置１の制御部１０１は、ステップＳ２１１で、リモコン制御実行指示情報を、指定された内線電話端末に送出した後、当該指定された内線電話端末と発呼側端末との間に通話路を生成する（ステップＳ２１２）。
【０２２６】
リモコン制御実行指示情報を受け取った内線電話端末は、前述したように、マイクロホン２５およびカメラ２７を動作状態として、マイクロホン２５で収音した音声を取り込み、また、カメラで撮影した画像を取り込む。そして、リモコン制御実行指示情報を受け取った内線電話端末は、リモコン送信部２６からの赤外線リモコン信号の送出を実行すると共に、そのリモコン送信部２６からの赤外線リモコン信号の送出の前後の収音音声情報および撮影画像情報を、主装置１を介して、生成された通話路を通じて発呼側端末に送信するようにする。
【０２２７】
主装置１の制御部１０１は、内線電話端末から受け取った音声情報および画像情報を、通話路通じて発呼側端末に送信する（ステップＳ２２１）。発呼側端末のユーザは、受信した収音音声情報や撮影画像情報を視聴することにより、このときの内線電話端末におけるリモコン制御動作を確認することができる。そして、前述したように、その確認結果として、リトライ指示あるいは正常終了確認通知の操作をする。
【０２２８】
そこで、主装置１は、発呼側からリトライ指示を受信したか否か判別し（ステップＳ２２２）、リトライ指示を受信したと判別したときには、指定された内線電話端末に、リモコン制御実行指示情報を再送信する（ステップＳ２２３）。そして、ステップＳ２２１に戻る。なお、前述したように、この再送信されるリモコン制御実行指示情報には、内線電話端末のリモコン送信部２６の方向を変更させる方向制御情報を含めるようにすることができる。
【０２２９】
ステップＳ２２２で、リトライ指示を受信してはいないと判別したときには、制御部１０１は、発呼側から正常終了確認通知を受信したか否か判別する（ステップＳ２２４）。
【０２３０】
このステップＳ２２４で、正常終了確認通知を受信したと判別したときには、制御部１０１は、発呼側から更なるリモコン指示情報を受信したか否か判別し（ステップＳ２２５）、更なるリモコン指定情報を受信したと判別したときには、指定された内線電話端末を把握し（ステップＳ２２６）、把握した内線電話端末は、現在、通話路で発呼側と接続されている内線電話端末であるか否か判別する（ステップＳ２２７）。そして、把握した内線電話端末は、現在、通話路で発呼側と接続されている内線電話端末と同じであると判別したときには、制御部１０１は、指定された内線電話端末に、新たなリモコン指定情報に基づくリモコン制御実行指示情報を送信する（ステップＳ２２９）。そして、ステップＳ２２１に戻る。
【０２３１】
また、ステップＳ２２７で、把握した内線電話端末は、現在、通話路で発呼側と接続されている内線電話端末とは異なった内線電話端末であると判別したときには、制御部１０１は、現在生成中の通話路を解放し（ステップＳ２２８）、その後、図１７のステップＳ２１１に戻り、前述したステップＳ２１１以降の処理を繰り返す。
【０２３２】
また、ステップＳ２２４で、正常終了確認通知を受信してはいないと判別したときと、ステップＳ２２５で、更なるリモコン指定情報を受信してはいないと判別したときには、制御部１０１は、相手（発呼側）で切断操作がなされたか否か判別する（ステップＳ２３０）。そして、このステップＳ２３０で、切断操作がなされてはないないと判別したときには、制御部１０１は、ステップＳ２２１に戻り、このステップＳ２２１以降の処理を繰り返す。また、ステップＳ２３０で、切断操作がなされたと判別したときには、制御部１０１は、発呼側との通信路（通話路）を切断処理し（ステップＳ２３１）、この処理ルーチンを終了する。
【０２３３】
また、図１７のステップＳ２０９で、リモコン指定情報は、リモコンモード番号であると判別したときには、制御部１０１は、受信したリモコンモード番号を検索子としてリモコンモード記憶部１０９を参照することで、リモコンモードを認識する（図１９のステップＳ２４１）。
【０２３４】
そして、制御部１０１は、認識したリモコンモードから、最初にリモコン制御すべき被リモコン制御機器を認識し、当該認識した被リモコン制御機器をリモコン制御する内線電話端末を、リモコン制御記憶部１０７を参照して認識する（ステップＳ２４２）。
【０２３５】
次に、制御部１０１は、認識した内線電話端末に、最初にリモコン制御すべき被リモコン制御機器についての指定されたリモコンコードを含むリモコン制御実行指示情報を送信する（ステップＳ２４３）。
【０２３６】
次に、この第２の実施形態では、制御部１０１は、認識した内線電話端末と発呼側端末との間に通話路を生成する（ステップＳ２４４）。そして、制御部１０１は、生成された通話路を通じて内線電話端末から送られてくる音声情報および画像情報を、発呼側端末に送信するようにする（ステップＳ２４５）。
【０２３７】
次に、制御部１０１は、予め定められた所定時間が経過するのを待つ（ステップＳ２４６）。ここで、この所定時間は、内線電話端末が主装置１からリモコン制御実行指示情報を受信した後、実際にリモコン送信部２６から赤外線リモコン信号を送出するまでの時間と、発呼側端末で、通話路を通じて送られてくる音声情報および画像情報を参照することで、リモコン制御が正常になされたか否かを確認することができる時間との和を考慮したものとされる。
【０２３８】
ステップＳ２４６で、所定時間が経過したと判別したときには、制御部１０１は、指定されたリモコンモードにおいて、未だ、実行されていないリモコン制御があるか否か判別する（図２０のステップＳ２５１）。
【０２３９】
このステップＳ２５１で、未だ、実行されていないリモコン制御があると判別したときには、制御部１０１は、その未実行のリモコン制御をすべき被リモコン制御機器を認識し、その被リモコン制御機器をリモコン制御する内線電話端末を認識する（ステップＳ２５２）。そして、認識した内線電話端末は、現在、発呼側と通話路で接続されている内線電話端末であるか否か判別する（ステップＳ２５３）。
【０２４０】
そして、ステップＳ２５３で、認識した内線電話端末は、現在、発呼側と通話路で接続されている内線電話端末と同じであると判別したときには、制御部１０１は、認識した内線電話端末に、新たなリモコン指定情報に基づくリモコン制御実行指示情報を送信する（ステップＳ２５４）。そして、次に、ステップＳ２４５に戻り、前述したステップＳ２４５以降の処理を繰り返す。
【０２４１】
また、ステップＳ２５３で、認識した内線電話端末は、現在、発呼側と通話路で接続されている内線電話端末と異なると判別したときには、制御部１０１は、現在生成中の通話路を解放し（ステップＳ２５５）、その後、ステップＳ２４３に戻り、前述したステップＳ２４３以降の処理を繰り返す。
【０２４２】
そして、ステップＳ２５１で、指定されたリモコンモードにおいて、未だ、実行されていないリモコン制御がないと判別したときには、制御部１０１は、リモコン制御完了通知を発呼側に送信する（ステップＳ２５６）。
【０２４３】
次に、制御部１０１は、発呼側からのリトライ指示を受信したか否か判別し（ステップＳ２５７）、リトライ指示を受信したと判別したときには、図１９のステップＳ２４２に戻り、このステップＳ２４２以降の処理を繰り返して、リモコンモードによるリモコン制御をリトライするようにする。
【０２４４】
ステップＳ２５７で、リトライ指示を受信してはいないと判別したときには、制御部１０１は、発呼側の切断操作を待ち（ステップＳ２５８）、切断操作があったときには、発呼側と内線電話端末との通話路を切断して（ステップＳ２５９）、この処理ルーチンを終了する。
【０２４５】
〔第２の実施形態の内線電話端末の処理動作〕
第２の実施形態においては、内線電話端末２におけるリモコン制御時の処理動作は、図１４に示した第１の実施形態と同様である。よって、ここでは、その説明は、省略する。
【０２４６】
〔第２の実施形態の効果〕
上述した第２の実施形態においては、外出先から自宅のボタン電話システムに電話をかけることにより、テレビ受信機やエアコンの個別リモコン制御ができるとともに、リモコンモードによる複数個の被リモコン制御機器のリモコン制御ができるなど、第１の実施形態と同様の効果を得ることができる。その上、第２の実施形態によれば、リモコン制御が正常に完了したか否かを、リモコン制御を実行した内線電話端末の周囲音や周囲画像を視聴することにより確認することができる。ユーザは、リモコン制御の完了、未了を自分で確認できるというメリットがあると共に、リモコン制御のリトライ指示などを適切に送ることができるという効果もある。
【０２４７】
また、第２の実施形態においては、第１の実施形態のように、主装置１には、内線電話端末の周囲音や周囲画像を用いて、リモコン制御が正常に完了したか否かを判断する判断手段を設ける必要がないので、ボタン電話システムを安価に構成することができる。
【０２４８】
〔第２の実施形態の変形例〕
なお、リモコンモード番号指定によるリモコン制御においても、ステップＳ２４６で所定時間経過するのを待つ代わりに、個々の被リモコン制御機器の場合の確認処理と同様に、ユーザから正常終了通知およびリトライ指示を受けるようにして、個々の被リモコン制御機器の場合と同様にしてリトライ処理や被リモコン制御機器の１台ごとのリモコン制御動作の正常終了確認を行えるようにしてもよい。
【０２４９】
また、この第２の実施形態においては、発呼側端末とリモコン制御実行指示対象の内線電話端末２との間の通話路は、主装置１が、リモコン制御実行指示情報を内線電話端末２に送出した後に生成するようにしたが、この通話路の生成は、主装置１が、リモコン制御実行指示情報を内線電話端末２に送出する前であってもよい。
【０２５０】
［第３の実施形態］
以上の第１および第２の実施形態では、外出先から電話端末を用いて、電話網を通じて自宅のボタン電話システムに電話をかけ、リモコン指示コードおよびリモコン指定情報などを入力して、リモコン制御動作の指示するようにした。この場合に、リモコン指定情報の入力操作には、電話端末のテンキーを用いるなどの制約があると共に、内線番号、被リモコン制御機器番号、リモコンコード番号などをユーザが覚えておく必要がある。
【０２５１】
この第３の実施形態は、この問題を解決して、より簡単な操作で外出先からリモコン制御指示ができるようにしている。すなわち、第３の実施形態では、ウェブサーバを経由して、携帯電話端末などの発呼側端末から、ボタン電話システムにアクセスできるように構成する。そして、ユーザは、リモコン指定情報を直接に発呼側端末において入力するのではなく、ウェブサーバから提供される操作画面を発呼側端末に表示し、その操作画面を通じて入力することができるように構成する。
【０２５２】
図２１は、この第３の実施形態のボタン電話システムの構成例の概要を示す図である。この図２１に示すように、第３の実施形態のボタン電話システムは、図１に示した第１の実施形態のボタン電話システムの構成に、ウェブサーバ８が追加されたものに等しい。
【０２５３】
このウェブサーバ８は、インターネットに接続されると共に、主装置１に接続される。このウェブサーバ８は、図２１に示すように、主装置１とは別個独立に設けるのではなく、主装置１内に、例えばウェブサーバ機能のボードなどとして、収容されていても良い。
【０２５４】
この第３の実施形態では、ウェブサーバ８は、この実施形態のボタン電話システムで実行できるリモコン制御用の操作画面（リモコン操作画面）を提供する機能と、主装置１と接続されて、内線電話端末から発呼側端末までの通話路を生成する機能を備える。
【０２５５】
そして、ウェブサーバ８には、主装置１から、リモコン制御記憶部１０７やリモコンモード記憶部１０９に記憶される被リモコン制御機器と内線電話端末との対応関係情報や、設定されたリモコンモードの情報などが予め送られる。そして、ウェブサーバ８は、リモコン操作画面などのグラフィカル・ユーザ・インターフェースの表示情報を生成しておき、アクセスしてきた携帯電話端末などに送るようにしている。
【０２５６】
この第３の実施形態は、上述の第１の実施形態の態様と、第２の実施形態の態様のいずれの態様にも適用可能である。第２の実施形態の態様に適用した場合の、この第３の実施形態のボタン電話システムのリモコン制御動作例を、以下に説明する。
【０２５７】
＜第３の実施形態のボタン電話システムにおけるリモコン制御動作例＞
〔被リモコン制御機器の1台毎のリモコン制御〕
図２２およびその続きである図２３は、ユーザが、外出先から、発信側端末として例えば携帯電話端末を用いて、自宅のボタン電話システム（上述した第３の実施形態のボタン電話システム）に対して電話をかけて、特定の被リモコン制御機器についてのリモコン制御指示をする場合のシーケンス図である。なお、この図２２および図２３の例は、リモコンモードの設定がされておらず、被リモコン制御機器の1台毎のリモコン制御指示のみができる場合のシーケンス例である。
【０２５８】
この第３の実施形態においては、ユーザは、ボタン電話システムを留守番モードに設定しておく必要はない。そして、ユーザは、例えば外出先からウェブサーバ８にアクセスする。ウェブサーバ８には、ＵＲＬ（Ｕｎｉｆｏｒｍ  Ｒｅｓｏｕｒｃｅ  Ｌｏｃａｔｏｒ）が割り当てられており、ユーザは、例えば携帯電話端末のブックマークに、このウェブサーバ８を登録しておき、このブックマークのメニューから、ウェブサーバ８を選択してアクセスすることができる。
【０２５９】
ウェブサーバ８は、インターネットを通じたアクセスを受けると、アクセスしてきた端末、この例では携帯電話端末との間に通信路を生成して接続し、リモコン操作画面の初期画面を、図２２で点線の矢印で示すように、アクセスしてきた携帯電話端末に送る。このときに、携帯電話端末の表示画面に表示される初期リモコン操作画面は、図２２では図示を省略したが、「モード選択」と、「個別制御」との２項目の選択画面とされる。なお、この初期リモコン操作画面は、後述する図２４の表示画面Ｄ４として示した。
【０２６０】
この初期リモコン操作画面において、「個別制御」が選択されると、ウェブサーバ８は、次のリモコン操作画面を携帯電話端末に送る。このリモコン操作画面は、例えば図２２において、表示画面Ｄ１として示すように、この例のボタン電話システムで、リモコン制御可能な被リモコン制御機器の一覧メニューとされる。つまり、この例では、１階のテレビ受信機、１階のエアコン、２階のテレビ受信機、２階のエアコンが、リモコン制御可能な被リモコン制御機器としてメニュー表示される。
【０２６１】
図２２の例では、ユーザは、この表示画面Ｄ１のメニューから、１階のテレビ受信機を選択する操作をする。すると、その選択操作情報が携帯電話端末からウェブサーバ８に送られ、ウェブサーバ８に一次記憶される。
【０２６２】
ウェブサーバ８は、この例では、被リモコン制御機器の選択操作情報を受信すると、点線矢印で示すように、選択された被リモコン制御機器についてのリモコン制御内容の選択メニュー画面を、次のリモコン操作画面として、アクセスしてきた携帯電話端末に送る。このとき、携帯電話端末のディスプレイには、例えば表示画面Ｄ２に示すように、テレビ受信機についてリモコン制御内容の一覧メニューが表示される。図２２の例では、電源オン、電源オフ、チャンネル切替、音量調整が、指定可能なリモコン制御内容項目としてメニュー表示される。
【０２６３】
ユーザは、図２２の例では、この表示画面Ｄ２のリモコン操作画面のメニューから、電源オンを選択する操作をする。これで、この例ではリモコン指定情報の入力が完了となるので、ウェブサーバ８は、主装置１と接続する処理をし、「１階のテレビ受信機の電源オン」を指定内容とするリモコン指定情報を主装置１に送る。
【０２６４】
このリモコン指定情報を受信すると主装置１は、前述の実施形態と同様にして、リモコン制御記憶部１０７の記憶内容を参照して、指定された被リモコン制御機器をリモコン制御する内線電話端末を把握する。図２２の例は、主装置１は、リモコン指示すべき内線電話端末は、内線電話端末２Ａと認識する。
【０２６５】
そして、主装置１は、リモコン制御記憶部１０７から、指定された被リモコン制御機器についての指定されたリモコンコードを読み出し、認識した内線電話端末２Ａに対して、当該指定されたリモコン制御のリモコンコードを含むリモコン制御実行指示情報を送る。なお、この実施形態では、このリモコン制御実行指示情報には、内線電話端末２Ａが備えるリモコン送信部２６が、指定された被リモコン制御機器の方向を向くように制御する方向制御情報も含まれている。
【０２６６】
このリモコン制御実行指示情報を受け取った内線電話端末２Ａは、前述した実施形態と同様にして、受信したリモコン制御実行指示情報に含まれている方向制御情報により方向制御機構２８を駆動制御して、リモコン送信部２６の赤外線リモコン信号の放射方向を、指定された被リモコン制御機器の方を向くように制御する。
【０２６７】
次いで、リモコン制御実行指示情報を受け取った内線電話端末２Ａは、マイクロホンインターフェース２０９からのマイクロホン２５の収音音声の取り込みを開始すると共に、カメラ２７での撮影を開始させて、カメラインターフェース２１０からの撮影画像の取り込みを開始するようにする。
【０２６８】
そして、主装置１は、リモコン制御実行指示情報を受け取った内線電話端末２Ａとの間に、通話路を接続する。そして、主装置１は、ウェブサーバ８との間にも通話路を接続する。そして、ウェブサーバ８が携帯電話端末とインターネットを通じて接続されていることにより、内線電話端末２Ａと、携帯電話端末との間に、通信路（図２２の通話パス）が形成されることになる。
【０２６９】
したがって、内線電話端末２Ａでマイクロホン２５により収音された音声情報と、カメラ２７で撮影された画像情報とは、この通信路を通じて（主装置１およびウェブサーバ８を経由して）外出先の携帯電話端末に送信される。
【０２７０】
携帯電話端末では、内線電話端末２Ａのマイクロホン２５で収音された音声をスピーカで再生すると共に、内線電話端末２Ａのカメラ２７で撮影された画像情報を取得して表示画面に表示する。この際に、図示は省略するが、主装置１は、ウェブサーバ８に被リモコン制御機器が、何であるかを通知する。ウェブサーバ８は、この通知により、被リモコン制御機器が何であるかを、ユーザが把握できる表示を伴ったものとして、内線電話端末２Ａのカメラ２７で撮影された画像情報を携帯電話端末に送り、例えば図２２の表示画面Ｄ３に示すような表示画面を携帯電話端末に表示させるようにする。
【０２７１】
次いで、内線電話端末２Ａは、指定された被リモコン制御機器、この例では、１階のテレビ受信機４Ａに対して、リモコン制御実行指示情報に含まれるリモコンコードを、リモコン送信部２６から赤外線リモコン信号として送出するようにする。
【０２７２】
このとき、内線電話端末２Ａは、マイクロホン２５で収音した音声情報と、カメラ２７で撮影した撮影画像情報とを、前述した通信路を通じて携帯電話端末に送信しているので、携帯電話端末の使用者は、このときに受信した音声および画像により、リモコン制御が正常に完了したかを耳および目で確認することができる。
【０２７３】
その結果、リモコン制御が正常に完了したことを確認できなかったときには、ユーザは、リトライ指示を携帯電話端末を通じて入力して、ウェブサーバ８を経由して主装置１に送るようにする。
【０２７４】
この例では、図示は省略するが、例えば、携帯電話端末の表示画面に表示されるリトライアイコンボタンを選択操作することにより、ユーザがリトライ要求をウェブサーバ８に送ると、ウェブサーバ８は、リモコン送信部２６の方向指示用画面を携帯電話端末に送る。ユーザは、この方向指示用画面を通じて、先にカメラ２７の撮影画像で確認した被リモコン制御機器の方向を考慮しながら、リモコン送信部２６の方向の変更およびその変更の大きさを指示するようにする。このリモコン送信部２６の方向制御情報は、ウェブサーバ８を通じて主装置１に送られる。
【０２７５】
主装置１は、この方向制御情報を、通話路を生成中の内線電話端末２Ａに送る。内線電話端末２Ａは、受け取った方向制御情報により、そのリモコン送信部２６の方向を制御するようにする。
【０２７６】
その後、携帯電話端末のユーザが、携帯電話端末のリモコン操作画面を通じてリトライ実行指示を入力すると、当該リトライ実行指示が、ウェブサーバ８を通じて主装置１に送られる。主装置１は、内線電話端末２Ａの赤外線リモコン送信を指示する。これを受けて、内線電話端末２Ａは、そのリモコン送信部２６からの赤外線リモコン信号の再送出を実行する。
【０２７７】
携帯電話端末のユーザは、リモコン制御が正常に完了したことを確認できたときには、携帯電話端末で、リモコン制御が正常に終了したことを示す正常終了確認入力をする。これに基づき、携帯電話端末からは、ウェブサーブ８に正常終了確認通知が送られる。これを受けたウェブサーバ８は、携帯電話端末には、リモコン操作画面の初期画面を送るとともに、主装置１に正常終了確認通知を転送する。
【０２７８】
そして、ユーザは、さらに続いて他の被リモコン制御機器のリモコン制御を実行したい場合には、ウェブサーバ８から送られてくるリモコン操作画面を通じて、上述と同様にして、携帯電話端末で、次のリモコン制御のためのリモコン指示情報の入力をすることができる。
【０２７９】
ウェブサーバ８は、当該次のリモコン指定情報を受け取ると、そのリモコン指定情報を主装置１に送る。新たなリモコン指定情報を受け取った主装置１は、当該新たなリモコン指定情報により指定される被リモコン制御機器は、現在、通話路を生成中の内線電話端末でリモコン制御することができるものであるかどうかを判断する。
【０２８０】
そして、主装置１は、新たなリモコン指定情報により指定される被リモコン制御機器は、現在、通話路を生成中の内線電話端末ではない他の内線電話端末２Ｂでリモコン制御されるものであると判断すると、図２３に示すように、それまでの内線電話端末２Ａとの通話路を解放した後、上述と同様にして、内線電話端末２Ｂに対してリモコン制御実行指定情報の送信処理を行う。内線電話端末２Ｂは、図８では、図示を省略するが、このリモコン制御実行指示情報を受けると、マイクロホン２５およびカメラ２７を動作状態にする。そして、主装置１は、内線電話端末２Ｂとの間に通話路を生成する。これにより、上述と同様にして、この内線電話端末２Ｂのリモコン送信部を用いた別の被リモコン制御機器に対する別のリモコン制御を実行する。
【０２８１】
そして、リモコン制御を終了する場合には、携帯電話端末の使用者は、切断操作を行う。この切断操作があると、ウェブサーバ８は、携帯電話端末との間の通信路を切断すると共に、主装置１に通信切断を通知する。これを受けた主装置１は、ウェブサーバ８とボタン電話システムとの通信路を切断し、上述のリモコン制御のシーケンスが終了する。
【０２８２】
〔リモコンモードを用いた複数の被リモコン制御機器のリモコン制御指定〕
図２４およびその続きである図２５は、ユーザが、外出先から、発信側端末として例えば携帯電話端末を用いて、自宅のボタン電話システム（上述した第１の実施形態のボタン電話システム）のウェブサーバ８に対してアクセスし、リモコンモード番号による複数の被リモコン制御機器についてのリモコン制御指示をする場合のシーケンス図である。この図２４および図２５の例は、図７に示したようなリモコンモードの設定がされていて、リモコンモード番号による複数の被リモコン制御機器に対するリモコン制御指示がなされる場合のシーケンス例である。
【０２８３】
この例においては、ウェブサーバ８は、インターネットを通じたアクセスを受け、アクセスしてきた、例えば携帯電話端末との間に通信路を生成した後、図２４の表示画面Ｄ４に示すようなリモコン操作画面の初期画面を、図２４で点線の矢印で示すように、アクセスしてきた携帯電話端末に送る。すなわち、この例の場合における初期リモコン操作画面は、表示画面Ｄ４として示すように、「モード選択」と、「個別制御」との２項目の選択画面とされる。
【０２８４】
図２４の例においては、ユーザは、このリモコン操作画面の初期画面において、「モード選択」を選択する操作をする。すると、その選択操作情報が携帯電話端末からウェブサーバ８に送られ、ウェブサーバ８は、点線矢印で示すように、選択された「モード選択」について、選択可能なリモコンモードの一覧メニューを次のリモコン操作画面として携帯電話端末に送る。
【０２８５】
このとき、携帯電話端末のディスプレイには、例えば図２４の表示画面Ｄ５に示すように、「夜間居留守モード」、「帰宅モード１」、「帰宅モード２」などの、選択可能なリモコンモードの一覧メニューが表示される。
【０２８６】
ユーザは、図２４の例では、この表示画面Ｄ５のリモコン操作画面のメニューから、「居留守モード」を選択する操作をする。この操作で、この例ではリモコン指定情報の入力が完了となるので、ウェブサーバ８は、主装置１と接続する処理をし、リモコンモードの「夜間居留守モード」を指定内容とするリモコン指定情報を主装置１に送る。このウェブサーバ８から主装置１に送られるリモコン指定情報は、例えば、リモコンモード番号からなる。その場合、ウェブサーバ８は、リモコンモードと、リモコンモード番号との対応情報を主装置１から取得し、かつ、リモコン操作画面のメニュー項目と、リモコンモード番号との対応関係を把握できるようにしておく。
【０２８７】
主装置１は、このリモコンモードを指定する情報からなるリモコン指定情報を受け取ると、前述の実施形態と同様にして、指定されたリモコンモードにおける複数の被リモコン制御機器のすべてについて、順次にリモコン制御指示を行うようにする。
【０２８８】
図２４および図２５の例においては、「夜間居留守モード」が選択されたので、１階のテレビ受信機４Ａと、２階のテレビ受信機４Ｂとの電源オンが、リモコン指示されることになる。
【０２８９】
したがって、主装置１は、図２４に示すように、先ず、内線電話端末２Ａに対して、１階のテレビ受信機４Ａの電源オンのリモコンコードを含むリモコン制御実行指示情報を送る。また、主装置１は、内線電話端末２Ａから、携帯電話端末までの通話路を生成するようにする。
【０２９０】
内線電話端末２Ａは、そのリモコン送信部２６から赤外線リモコン信号をテレビ受信機４Ａに向けて送信する。そして、内線電話端末２Ａは、マイクロホン２５で収音した音声情報と、カメラ２７で撮影した画像情報とを、主装置１、ウェブサーバ８を経由して、通信路を通じて、携帯電話端末に送る。携帯電話端末のユーザは、図２４の表示画面Ｄ３のような画面を見ながら、音と画像とで、被リモコン制御機器であるテレビ受信機４Ａのリモコン動作を確認するようにする。
【０２９１】
次いで、主装置１は、指定されたリモコンモードにおける次にリモコン制御する被リモコン制御機器は２階のテレビ受信機４Ｂであって、それをリモコン制御するのは、現在通話路を生成中の内線電話端末２Ａとは異なる内線電話端末２Ｂであることを認識することから、内線電話端末２Ａとの通話路を解放する。
【０２９２】
そして、主装置１は、内線電話端末２Ｂに対して、２階のテレビ受信機４Ｂの電源オンのリモコンコードを含むリモコン制御実行指示情報を送る。また、主装置１は、内線電話端末２Ｂから、ウェブサーバ８までの通話路を生成する。これにより、内線電話端末２Ｂから携帯電話端末までの通信路が形成される。
【０２９３】
主装置１からのリモコン制御実行指示情報を受け取った内線電話端末２Ｂは、マイクロホン２５およびカメラ２７を動作状態にした後、そのリモコン送信部２６から赤外線リモコン信号をテレビ受信機４Ｂに向けて送信する。そして、内線電話端末２Ｂは、マイクロホン２５で収音した音声情報と、カメラ２７で撮影した画像情報とを、主装置１、ウェブサーバ８を経由して、通信路を通じて、携帯電話端末に送る。ユーザは、図２５の表示画面Ｄ６のような画面を見ながら、音と画像とで、被リモコン制御機器であるテレビ受信機４Ｂのリモコン動作を確認するようにする。
【０２９４】
リモコンモードで指定された全ての被リモコン制御機器についてのリモコン制御が終了したと判別すると、主装置１は、リモコン制御完了通知をサーバ８に送る。サーバ８は、このリモコン制御完了通知を発信側の携帯電話端末に送るが、このとき、リモコン操作画面をも送る。
【０２９５】
携帯電話端末は、リモコン制御完了通知を受け取ることで、指定したリモコンモードにより指定されたリモコン制御の全てが実行されたことを知り、それを表示したり、音声で報知したりして、ユーザに通知する。しかし、携帯電話端末のユーザは、音声および画像での確認において、リモコン制御が正しく完了していない被リモコン制御機器については、リモコン操作画面の個々制御の項目を選択して、その正しくリモコン制御が完了していない被リモコン制御機器については、個々制御によりリモコン制御することができる。
【０２９６】
なお、携帯電話端末のユーザは、個々制御ではなく、再度、同じように、リモコンモードを指定して、リトライさせるようにすることもできることは言うまでもない。
【０２９７】
なお、リモコン制御実行中には内線電話端末からのカメラの撮影画像が携帯電話端末に送られているので、ウェブサーバ８は、リモコン制御完了通知により、カメラの撮影画像情報の携帯電話端末への送信を停止して、リモコン操作画面を携帯電話端末に送ることにより、携帯電話端末のユーザにリモコン制御完了を報知するようにしても良い。つまり、リモコン制御完了通知は、別個に、その通知のみを行わなくても良い。
【０２９８】
そして、携帯電話端末にリモコン操作画面が表示されているときに、ユーザが、ウェブサーバ８との間の通信路を切断する操作を行った場合には、ウェブサーバ８および主装置１による通信路切断処理により、携帯電話端末とボタン電話システムとの通信路が切断され、上述のリモコン制御のシーケンスが終了する。
【０２９９】
〔ウェブサーバ８の処理動作〕
以上説明した第３の実施形態において、リモコン制御のシーケンスを実行するためのウェブサーバ（以下、単にサーバという）８における処理動作を、図２６に示すフローチャートを参照しながら説明する。
【０３００】
サーバ８は、インターネットを通じたアクセスを待ち（ステップＳ３０１）、アクセスがあったと判別したときには、アクセスしてきた端末（アクセス端末）との間に通信路を接続する（ステップＳ３０２）。なお、このときの通信路を接続するためには、例えば暗証番号などのパスワードを用いた、アクセス端末とサーバ８との間で所定の認証処理を行うようにしても良いことは、言うまでもない。
【０３０１】
通信路を接続した後、サーバ８は、前述したリモコン操作画面をアクセス端末に送信する（ステップＳ３０３）。このリモコン操作画面に対しては、前述したようにアクセス端末の使用者は、リモコン指定情報を入力するようにするので、サーバ８は、アクセス端末からのリモコン指定情報の受信を完了したか否か判別する（ステップＳ３０４）。
【０３０２】
リモコン指定情報の受信を完了してはいないと判別したときには、サーバ８は、アクセス端末からアクセス終了指示を受信したか否か判別し（ステップＳ３０５）、アクセス終了指示を受信してはいないと判別したときには、ステップＳ３０４に戻る。また、ステップＳ３０５で、アクセス終了指示を受信したと判別したときには、サーバ８は、アクセス端末との間の通信路を切断して（ステップＳ３０６）、この処理ルーチンを終了する。
【０３０３】
ステップＳ３０４で、リモコン指定情報の受信を完了したと判別したときには、サーバ８は、主装置１に接続要求を送って、通信路を生成して接続する（ステップＳ３０７）。そして、サーバ８は、アクセス端末から受信したリモコン指定情報を主装置１に送信する（ステップＳ３０８）。
【０３０４】
このリモコン指定情報に対しては、主装置１は、前述したようなリモコン制御動作を実行する。サーバ８は、このリモコン制御動作時において、主装置１から送られてくる情報をアクセス端末に送ると共に、アクセス端末から送られてくる情報を主装置１に送る処理を行う（ステップＳ３０９）。
【０３０５】
すなわち、リモコン制御を実行する内線電話端末からの音声情報および画像情報が、主装置１を通じて送られてくるので、サーバ８は、それらの音声情報および画像情報を、アクセス端末に送信するようにする。また、アクセス端末からは、リモコン制御の正常終了確認通知（個別制御モード）やリトライ指示などが送られてくるので、それらの情報を、主装置に送る。また、リモコンモード時には、主装置１からリモコン制御完了通知なども送られてくるので、サーバ８は、それを受信する処理も行う。
【０３０６】
次に、サーバ８は、アクセス端末から正常終了確認通知を受信したか否か判別し（ステップＳ３１０）、正常終了確認通知をアクセス端末から受信したと判別したときには、ステップＳ３０３に戻り、最初のリモコン操作画面をアクセス端末に送出するようにする。
【０３０７】
ステップＳ３１０で、正常終了確認通知はアクセス端末から受信していないと判別したときには、サーバ８は、リモコン制御完了通知を主装置１から受信したか否か判別し（ステップＳ３１１）、リモコン制御完了通知を受信したと判別したときには、ステップＳ３０３に戻り、最初のリモコン操作画面をアクセス端末に送出するようにする。
【０３０８】
また、ステップＳ３１１で、リモコン制御完了通知を受信してはいないと判別したときには、サーバ８は、アクセス終了指示をアクセス端末から受信したか否か判別し（ステップＳ３１２）、アクセス終了指示を受信してはいないと判別したときには、ステップＳ３１０に戻る。また、ステップＳ３１２で、アクセス終了指示を受信したと判別したときには、サーバ８は、アクセス端末との間の通信路を切断し（ステップＳ３１３）、その後、この処理ルーチンを終了する。
【０３０９】
〔主装置１の処理動作〕
以上説明した第３の実施形態の場合のリモコン制御のシーケンスを実行するための主装置１における処理動作を、図２７〜図３０に示すフローチャートを参照しながら説明する。この図２７〜図３０の各ステップの処理は、主装置１の制御部１０１が実行するものである。
【０３１０】
制御部１０１は、サーバ８からの接続要求を受信したか否か判別し（ステップＳ３２１）、サーバ８からの接続要求を受信してはいないと判別したときには、その他の処理をし（ステップＳ３２２）、その終了後、ステップＳ３２１に戻る。
【０３１１】
ステップＳ３２１で、サーバ８からの接続要求を受信したと判別したときには、制御部１０１は、サーバ８との間に通信路を生成する（ステップＳ３２３）。そして、主装置１は、サーバ８からのリモコン指定情報を受信する（ステップＳ３２４）。
【０３１２】
次に、制御部１０１は、受信したリモコン指定情報は、個別制御の指定か、リモコンモードの指定かを判別する（ステップＳ３２５）。
【０３１３】
このステップＳ３２５で、個別制御の指定であると判別したときには、制御部１０１は、リモコン指定情報によりリモコン制御記憶部１０７を参照することにより、被リモコン制御機器をリモコン制御する内線電話端末を把握する（ステップＳ３２６）。
【０３１４】
次に、制御部１０１は、把握した内線電話端末に、リモコン制御実行指示情報を送出する（ステップＳ３２７）。このリモコン制御実行指示情報には、前述したように、リモコンコードと、被リモコン制御機器の方向に内線電話端末のリモコン送信部２６が向くようにするための機器方向の情報を含む。
【０３１５】
次に、制御部１０１は、把握した内線電話端末との間に通話路を生成する（ステップＳ３２８）。そして、制御部１０１は、生成された通話路を通じて内線電話端末から送られてくる音声情報および画像情報を受信し、これら受信した音声情報および画像情報を、サーバ８を経由させて、発信側に送信するようにする（図２８のステップＳ３３１）。
【０３１６】
発信側端末のユーザは、受信した収音音声情報や撮影画像情報を視聴することにより、このときの内線電話端末におけるリモコン制御動作を確認することができる。そして、前述したように、その確認結果として、リトライ指示あるいは正常終了確認通知の操作をする。
【０３１７】
そこで、主装置１は、サーバ８を経由して、発信側からリトライ指示を受信したか否か判別し（ステップＳ３３２）、リトライ指示を受信したと判別したときには、指定された内線電話端末に、リモコン制御実行指示情報を再送信する（ステップＳ３３３）。そして、ステップＳ３３１に戻る。なお、前述のシーケンス例において説明したように、リトライ指示には、発信側で入力されたリモコン送信部２６の方向を変更させる方向制御情報が含まれている。よって、ステップＳ３３３で再送信されるリモコン制御実行指示情報には、内線電話端末のリモコン送信部２６の方向を変更させる方向制御情報が含まれている。
【０３１８】
ステップＳ３３２で、リトライ指示を受信してはいないと判別したときには、制御部１０１は、サーバ８を経由して、発信側から正常終了確認通知を受信したか否か判別する（ステップＳ３３４）。
【０３１９】
このステップＳ３３４で、正常終了確認通知を受信したと判別したときには、制御部１０１は、サーバ８を経由して、発信側から更なるリモコン指示情報を受信したか否か判別する（ステップＳ３３５）。
【０３２０】
このステップＳ３３５で、更なるリモコン指定情報を受信したと判別したときには、制御部１０１は、リモコン指定情報に含まれる被リモコン制御機器の指定情報（被リモコン制御機器番号など）を用いて、リモコン制御記憶部１０７の記憶内容を参照することで、内線電話端末を把握し（ステップＳ３３６）、把握した内線電話端末は、現在、通話路で発信側と接続されている内線電話端末であるか否か判別する（ステップＳ３３７）。
【０３２１】
そして、把握した内線電話端末は、現在、通話路で発信側と接続されている内線電話端末と同じであると判別したときには、制御部１０１は、指定された内線電話端末に、新たなリモコン指定情報に基づくリモコン制御実行指示情報を送信する（ステップＳ３３９）。そして、ステップＳ３３１に戻る。
【０３２２】
また、ステップＳ３３７で、把握した内線電話端末は、現在、通話路で発信側と接続されている内線電話端末とは異なった内線電話端末であると判別したときには、制御部１０１は、現在生成中の通話路を解放し（ステップＳ３３８）、その後、図２７のステップＳ３２７に戻り、前述したステップＳ３２７以降の処理を繰り返す。
【０３２３】
また、ステップＳ３３４で、正常終了確認通知を受信してはいないと判別したときと、ステップＳ３３５で、更なるリモコン指定情報を受信してはいないと判別したときには、制御部１０１は、相手（発信側）で切断操作がなされたか否か判別する（ステップＳ３４０）。そして、このステップＳ３４０で、切断操作がなされてはいないと判別したときには、制御部１０１は、ステップＳ３３１に戻り、このステップＳ３３１以降の処理を繰り返す。また、ステップＳ４３０で、切断操作がなされたと判別したときには、制御部１０１は、サーバ８との通信路を切断処理し（ステップＳ３４１）、この処理ルーチンを終了する。
【０３２４】
また、図２７のステップＳ３２５で、リモコン指定情報は、リモコンモード指定（リモコンモード番号）であると判別したときには、制御部１０１は、受信したリモコンモード番号を検索子としてリモコンモード記憶部１０９を参照することで、リモコンモードを認識する（図２９のステップＳ３５１）。
【０３２５】
そして、制御部１０１は、認識したリモコンモードから、最初にリモコン制御すべき被リモコン制御機器を認識し、当該認識した被リモコン制御機器をリモコン制御する内線電話端末を、リモコン制御記憶部１０７を参照して認識する（ステップＳ３５２）。
【０３２６】
次に、制御部１０１は、認識した内線電話端末に、最初にリモコン制御すべき被リモコン制御機器についての指定されたリモコンコードを含むリモコン制御実行指示情報を送信する（ステップＳ３５３）。
【０３２７】
次に、この第３の実施形態では、制御部１０１は、認識した内線電話端末とサーバ８との間に通話路を生成し、これにより、内線電話端末と発信側との間に通信路が生成されるようにする（ステップＳ３５４）。そして、制御部１０１は、生成された通信路を通じて内線電話端末から送られてくる音声情報および画像情報を、サーバ８経由で発信側端末に送信するようにする（ステップＳ３５５）。
【０３２８】
次に、制御部１０１は、予め定められた所定時間が経過するのを待つ（ステップＳ３５６）。ここで、この所定時間は、内線電話端末が主装置１からリモコン制御実行指示情報を受信した後、実際にリモコン送信部２６から赤外線リモコン信号を送出するまでの時間と、発信側端末で、通信路を通じて送られてくる音声情報および画像情報を参照することで、リモコン制御が正常になされたか否かを確認することができる時間との和を考慮したものとされる。
【０３２９】
ステップＳ３５６で、所定時間が経過したと判別したときには、制御部１０１は、指定されたリモコンモードにおいて、未だ、実行されていないリモコン制御があるか否か判別する（図３０のステップＳ３６１）。
【０３３０】
このステップＳ３６１で、未だ、実行されていないリモコン制御があると判別したときには、制御部１０１は、その未実行のリモコン制御をすべき被リモコン制御機器を認識し、その被リモコン制御機器をリモコン制御する内線電話端末を認識する（ステップＳ３６２）。そして、認識した内線電話端末は、現在、通話路で接続されている内線電話端末であるか否か判別する（ステップＳ３６３）。
【０３３１】
そして、ステップＳ３６３で、認識した内線電話端末は、現在、通話路で接続されている内線電話端末と同じであると判別したときには、制御部１０１は、認識した内線電話端末に、新たなリモコン指定情報に基づくリモコン制御実行指示情報を送信する（ステップＳ３６４）。そして、次に、ステップＳ３５５に戻り、前述したステップＳ３５５以降の処理を繰り返す。
【０３３２】
また、ステップＳ３６３で、認識した内線電話端末は、現在、通話路で接続されている内線電話端末と異なると判別したときには、制御部１０１は、現在生成中の通話路を解放し（ステップＳ３６５）、その後、ステップＳ３５３に戻り、前述したステップＳ３５３以降の処理を繰り返す。
【０３３３】
そして、ステップＳ３６１で、指定されたリモコンモードにおいて、未だ、実行されていないリモコン制御がないと判別したときには、制御部１０１は、リモコン制御完了通知をサーバ８を経由させて発信側に送信する（ステップＳ３６６）。
【０３３４】
このリモコン制御完了通知を主装置１から受けたサーバ８は、発信側端末にリモコン操作画面を送って、前述したように、ユーザからの個々の被リモコン制御機器についてのリモコン制御や、再度のリモコンモード指定によるリモコン制御を受け付けるようにする。
【０３３５】
そこで、制御部１０１は、サーバ８を経由して、発信側からこれらの新規のリモコン指定情報を受信したか否か判別し（ステップＳ３６７）、新たなリモコン指定情報を受信したと判別したときには、図２７のステップＳ３２５に戻り、このステップＳ３２５以降の処理を繰り返すようにする。
【０３３６】
ステップＳ３６７で、新たなリモコン指定情報を受信してはいないと判別したときには、制御部１０１は、サーバ８を経由した発信側の切断操作通知を待ち（ステップＳ３６８）、切断操作通知があったときには、内線電話端末およびサーバ８との通話路を切断して（ステップＳ３６９）、この処理ルーチンを終了する。
【０３３７】
〔第３の実施形態の内線電話端末の処理動作〕
第３の実施形態においても、内線電話端末２におけるリモコン制御時の処理動作は、図１４に示した第１の実施形態と同様である。よって、ここでは、その説明は、省略する。
【０３３８】
〔第３の実施形態の効果〕
この第３の実施形態においては、上述の第１の実施形態および第２の実施形態の効果に加えて、ウェブサーバ８には、何時でもどこからでもアクセスすることが可能である。したがって、１階に居るユーザが、２階のテレビ受信機の電源をリモコン制御でオフするなどというリモコン制御態様が可能である。
【０３３９】
また、ウェブサーバ８から、リモコン指示をユーザが入力する携帯電話端末などの端末に対して、リモコン操作画面を提供することができるので、ユーザは、リモコン制御に関して、内線番号、被リモコン制御機器の番号や、リモコンモード番号などを記憶しておく必要がなく、便利である。
【０３４０】
〔第３の実施形態の変形例〕
上述した第３の実施形態の説明は、第２の実施形態を図２１のシステムに応用した場合であるが、前述もしたように、第３の実施形態は、第１の実施形態を、図２１のシステムに応用することも勿論できる。
【０３４１】
この第１の実施形態を第３の実施形態に応用する場合において、内線電話端末からの音声情報および画像情報を用いてリモコン制御が正常に完了したか否かの確認判断処理するのは、第１の実施形態と同様に、主装置１であっても良いし、ウェブサーバ８であっても良い。
【０３４２】
また、第３の実施形態を第１の実施形態の場合に応用したときには、主装置１やウェブサーバ８で被リモコン制御機器でのリモコン制御が正常に完了したかどうかを確認判断して、その判断結果をアクセス端末に送るようにするだけでよい。すなわち、上述の第２の実施形態に適用した場合の第３の実施形態のように、主装置１は、ボタン電話システムの内線電話端末とアクセス端末との間に通話路を形成する必要はない。そのため、第３の実施形態を第１の実施形態の場合に応用したときには、アクセス端末は、電話機能を備えている必要はない。
【０３４３】
また、第３の実施形態では、サーバ８とアクセス端末との間は、電話通信とする必要はないので、第２の実施形態を第３の実施形態に応用した場合であっても、アクセス端末は電話機能を備えている必要はない。
【０３４４】
また、この第３の実施形態においては、主装置１とリモコン制御実行指示対象の内線電話端末２との間の通話路は、主装置１が、リモコン制御実行指示情報を内線電話端末２に送出した後に生成するようにしたが、この通話路の生成は、主装置１が、リモコン制御実行指示情報を内線電話端末２に送出する前であってもよい。
【０３４５】
［第４の実施形態］
上述の実施形態は、ボタン電話システムに対して、この発明を適用した場合であるが、リモコン送信部を備える単独の電話端末に、例えば外出先から電話をかけてリモコン制御する場合にも、同様に適用することができる。第４の実施形態は、この単独電話端末に、この発明を適用した場合である。
【０３４６】
この第４の実施形態の場合には、単独電話端末は、上述した第１および第２の実施形態のボタン電話システムの主装置１の制御部１０１の上述したリモコン制御時の処理機能を備える。
【０３４７】
すなわち、第１の実施形態の場合の主装置１でリモコン制御の確認判断を行う代わりに、単独電話端末で、リモコン制御の確認判断を行う例の場合には、この第４の実施形態の単独電話端末は、図３に示したハードウエア構成に、さらに、リモコン制御記憶部と、リモコンモード記憶部と、リモコン動作確認判断部を備えると共に、制御部２０１が、上述した第１の実施形態の場合におけるリモコン制御時の主装置１の処理機能を備える。
【０３４８】
また、第２の実施形態の場合のように、発呼側端末のユーザが、音声情報や画像情報を視聴することによりリモコン制御の確認判断を行う例の場合には、この第４の実施形態の単独電話端末は、図３に示したハードウエア構成に、さらに、リモコン制御記憶部と、リモコンモード記憶部とを備えると共に、制御部２０１が、上述した第２の実施形態の場合におけるリモコン制御時の主装置１の処理機能を備える。
【０３４９】
さらに、第３の実施形態のように、ウェブサーバを介在させるようにすることもできる。すなわち、その場合には、単独電話端末は、第３の実施形態におけるウェブサーバの機能を内蔵する構成を備えるようにするものである。
【０３５０】
［その他の実施形態および変形例］
上述の第１〜第３の実施形態においては、内線電話端末は、主装置と電話用ケーブルで接続される構成としたが、内線電話端末はコードレス電話端末の構成とし、主装置と内線電話端末との間は無線接続であっても勿論よい。
【０３５１】
また、第１および第２の実施形態の例では、外線用インターフェースを通じて留守番モードに設定されている状態になっているボタン電話システムへの着信をトリガとして、リモコン制御指示を外出先からユーザが行うことができるようにしたが、この例に限られるものではない。
【０３５２】
例えば、第１および第２の実施形態において、内線電話端末が各室などに設置されているときに、無人であって、内線着信に対して応答がないときには、主装置が自動応答するようにし、その後に、リモコン指示コードが送られてきたときには、上述と同様のリモコン制御ができるように構成することもできる。
【０３５３】
なお、上述の第１〜第３の実施形態は、家庭に設置される小規模のボタン電話システムの場合を例に説明したが、企業施設や商業施設などに設置される大規模のボタン電話システムの場合にも、同様に、この発明を適用することができることは言うまでもない。
【０３５４】
また、上述の実施形態は、ＩＰ電話システムおよびＩＰ電話端末の場合について説明したが、この発明は、ＩＰ電話システムおよびＩＰ電話端末の場合に限られるものではないことは言うまでもない。
【０３５５】
また、リモコン指示の発呼側端末は、携帯電話端末に限られるものではなく、電話通信機能を有するパーソナルコンピュータや、ＰＤＡ（Ｐｅｒｓｏｎａｌ  Ｄｉｇｉｔａｌ  Ａｓｓｉｓｔａｎｔｓ）などの携帯情報通信端末などであってもよい。
【０３５６】
また、リモコン信号は、赤外線リモコン信号の場合を例に説明したが、リモコン信号は、赤外線を用いたものに限られるものではなく、電波や光を用いたものでよいし、また、無線式ではなく、有線式であってもよいことは言うまでもない。
【０３５７】
また、上述の実施形態の説明では、リモコン制御が正常に完了したか否かを確認するための情報は、音声情報と画像情報との両方を用いるようにしたが、そのどちらか一方であっても勿論よい。
【符号の説明】
【０３５８】
１…主装置、２Ａ〜２Ｂ…内線電話端末、４Ａ，４Ｂ，５Ａ，５Ｂ…被リモコン制御機器、２５…マイクロホン、２６…リモコン送信部、２７…カメラ、２８…方向制御機構、１０１…主装置の制御部、１０７…リモコン制御記憶部、１０８…リモコン動作確認判断部、１０９…リモコンモード記憶部、２０１…内線電話端末の制御部
【図１】
0005413094.tif 000002
【図２】
0005413094.tif 000003
【図３】
0005413094.tif 000004
【図４】
0005413094.tif 000005
【図５】
0005413094.tif 000006
【図６】
0005413094.tif 000007
【図７】
0005413094.tif 000008
【図８】
0005413094.tif 000009
【図９】
0005413094.tif 000010
【図１０】
0005413094.tif 000011
【図１１】
0005413094.tif 000012
【図１２】
0005413094.tif 000013
【図１３】
0005413094.tif 000014
【図１４】
0005413094.tif 000015
【図１５】
0005413094.tif 000016
【図１６】
0005413094.tif 000017
【図１７】
0005413094.tif 000018
【図１８】
0005413094.tif 000019
【図１９】
0005413094.tif 000020
【図２０】
0005413094.tif 000021
【図２１】
0005413094.tif 000022
【図２２】
0005413094.tif 000023
【図２３】
0005413094.tif 000024
【図２４】
0005413094.tif 000025
【図２５】
0005413094.tif 000026
【図２６】
0005413094.tif 000027
【図２７】
0005413094.tif 000028
【図２８】
0005413094.tif 000029
【図２９】
0005413094.tif 000030
【図３０】
0005413094.tif 000031